(57)【要約】【課題】反りの矯正に起因するレーザ特性の劣化および半導体レーザ素子の破損が発生するのを抑制することが可能な半導体レーザ装置を提供する。【解決手段】この半導体レーザ装置４０では、共振器の延びる方向に反りを有する半導体レーザ素子５０と、半導体レーザ素子５０の反りの凹側の表面上に形成されワイヤボンド部１１５ａが設けられたｐ側電極１１５と、半導体レーザ素子５０の反りの凸側が固定される基台７０とを備える。そして、半導体レーザ素子５０は、反りの凸側と基台７０との間の距離が、共振器の延びる方向に沿って半導体レーザ素子５０の反りに応じて変化するように基台７０に固定されるとともに、半導体レーザ素子５０の反りの凸側と基台７０との間の距離のうち、実質的に最も小さい距離を有する領域近傍に対応するｐ側電極１１５の部分の近傍に、ワイヤボンド部１１５ａが設けられている。【選択図】図２
2008294424.tif 000002
【特許請求の範囲】
【請求項１】
共振器の延びる第１方向または前記第１方向と交差する第２方向の少なくとも一方に沿って反りを有する半導体レーザ素子と、
前記半導体レーザ素子の反りの凹側の表面上に形成されるとともに、ワイヤボンド部が設けられた電極層と、
前記半導体レーザ素子の反りの凸側が固定される基台とを備え、
前記半導体レーザ素子は、前記半導体レーザ素子の反りの凸側と、前記基台との間の距離が、前記共振器の延びる前記第１方向または前記第２方向の少なくとも一方に沿って前記半導体レーザ素子の反りに応じて変化するように前記基台に固定されるとともに、前記半導体レーザ素子の前記第１方向または前記第２方向のうちの少なくとも一方における前記半導体レーザ素子の反りの凸側と前記基台との間の距離のうち、実質的に最も小さい距離を有する領域近傍に対応する前記電極層の部分の近傍に、前記ワイヤボンド部が設けられている、半導体レーザ装置。
【請求項２】
前記半導体レーザ素子は、前記半導体レーザ素子の前記第１方向または前記第２方向のうちの反りの大きい方向における前記半導体レーザ素子の反りの凸側と前記基台との間の距離のうち、実質的に最も小さい距離を有する領域近傍に対応する前記電極層の部分の近傍に、前記ワイヤボンド部が設けられている、請求項１に記載の半導体レーザ装置。
【請求項３】
前記半導体レーザ素子の前記第１方向の反りは、前記第２方向の反りよりも大きく、前記半導体レーザ素子は、前記第１方向の反りの凸側と前記基台との間の距離のうち、実質的に最も小さい距離を有する領域近傍に対応する前記電極層の部分の近傍に、前記ワイヤボンド部が設けられている、請求項２に記載の半導体レーザ装置。
【請求項４】
前記半導体レーザ素子の前記第２方向の反りは、前記第１方向の反りよりも大きく、前記半導体レーザ素子は、前記第２方向の反りの凸側と前記基台との間の距離のうち、実質的に最も小さい距離を有する領域近傍に対応する前記電極層の部分の近傍に、前記ワイヤボンド部が設けられている、請求項２に記載の半導体レーザ装置。
【請求項５】
前記半導体レーザ素子は、基板と、前記基板の表面上に形成される半導体レーザ素子部とを含み、
前記半導体レーザ素子は、前記基板側が前記基台に対して融着層を介して固定され、
前記融着層の厚みは、前記半導体レーザ素子の前記基板と前記基台とに挟まれた領域において、前記共振器の延びる前記第１方向または前記第２方向の少なくとも一方に沿って前記半導体レーザ素子の反りに応じて変化するように形成されている、請求項１〜４のいずれか１項に記載の半導体レーザ装置。
【請求項６】
前記半導体レーザ素子を前記基台に固定する前記融着層は、半田からなる導電性接着層である、請求項５に記載の半導体レーザ装置。
【請求項７】
前記半導体レーザ素子は、窒化物系半導体層を有する半導体レーザ素子部を含む、請求項１〜６のいずれか１項に記載の半導体レーザ装置。
【請求項８】
前記ワイヤボンド部は、前記半導体レーザ素子の前記第１方向の端部に位置する前記共振器の光出射端近傍または光反射端近傍のいずれか一方端近傍に設けられている、請求項１〜７のいずれか１項に記載の半導体レーザ装置。
【請求項９】
前記ワイヤボンド部は、前記第２方向における前記半導体レーザ素子と前記基台とが略平行に配置された領域に対応する前記半導体レーザ素子の端部近傍に設けられている、請求項１〜７のいずれか１項に記載の半導体レーザ装置。
【請求項１０】
前記ワイヤボンド部は、前記半導体レーザ素子の前記第１方向の略中央部近傍に対応する前記電極層の部分の近傍に設けられている、請求項１〜７のいずれか１項に記載の半導体レーザ装置。
【請求項１１】
前記ワイヤボンド部は、前記半導体レーザ素子の前記第２方向の略中央部近傍に対応する前記電極層の部分の近傍に設けられている、請求項１〜７のいずれか１項に記載の半導体レーザ装置。
【請求項１２】
前記半導体レーザ素子の上面には、前記電極層に接続されるリッジ部が形成され、
前記ワイヤボンド部は、前記リッジ部が形成されている領域以外の領域に設けられている、請求項１〜１１のいずれか１項に記載の半導体レーザ装置。
【請求項１３】
前記ワイヤボンド部は、平面的に見て、前記電極層から前記第２方向に突出するように設けられている、請求項１〜１２のいずれか１項に記載の半導体レーザ装置。
【発明の詳細な説明】
【技術分野】
【０００１】
本発明は、半導体レーザ装置に関し、特に、基台に固定される半導体レーザ素子を備えた半導体レーザ装置に関する。
【背景技術】
【０００２】
近年、窒化物系半導体レーザは、次世代光ディスク用光源として再生用の低出力レーザが実用化される一方、高速記録用の高出力レーザについても実用化されつつある。また、窒化物系半導体レーザの組立工程としては、窒化物系半導体レーザ素子を金属ステムの台座にサブマウントを介して金（Ａｕ）、スズ（Ｓｎ）などの導電性接着層を用いてダイボンドを行い、その後、金ワイヤボンドを行う。その後、レーザ光が透過するキャップによりシールが行われる。また、ダイボンド面は、多くの場合、窒化物系半導体レーザ素子の窒化ガリウム基板側である。
【０００３】
また、従来の窒化物系半導体レーザでは、サファイア、シリコンおよびシリコンカーバイトなどの基板に、窒化物系半導体層のエピタキシャル成長による窒化物系半導体層が形成されているため、基板と、窒化物系半導体層との熱膨張係数差および格子定数差に起因して半導体レーザ素子に反りが生じる。
【０００４】
そこで、従来では、半導体レーザ素子の反りを考慮した半導体レーザ装置の製造方法が知られている（たとえば、特許文献１参照）。上記特許文献１には、半導体発光素子チップがダイボンドされるマウント部材のマウント面と、ダイボンド時に半導体発光素子チップを上方から押圧するコレットの押圧面とが、予め所定の曲率を有する曲面により形成されたものを使用して半導体発光素子チップのダイボンドを行う製造方法が提案されている。これにより、半導体発光素子チップは、所定の方向に反りが生じた状態でマウント部材に固定される。
【０００５】
【特許文献１】特開２００３−３１８９５号公報
【発明の開示】
【発明が解決しようとする課題】
【０００６】
しかしながら、上記特許文献１に開示された半導体レーザ装置およびその製造方法では、予め固定された所定の曲率を有する曲面形状に加工されたマウント部材およびコレットにより、半導体発光素子チップ（半導体レーザ素子）を所定の方向に反らせた状態でマウント部材（基台）にダイボンドするので、個々の半導体発光素子チップの反りのばらつきに対応することが困難である。すなわち、半導体発光素子チップの反りのばらつきに起因して、マウント部材の曲面形状と異なる反りに半導体発光素子チップが形成されている場合には、半導体発光素子チップのマウント部材への装着時に、半導体発光素子チップの反りをマウント部材の曲面形状に合うように矯正すると、半導体発光素子チップに応力が発生するという不都合がある。その結果、レーザ特性の劣化や、半導体発光素子チップの破損が発生するという問題点がある。特に、窒化物系半導体レーザの高出力化においては、共振器長（素子チップの長さ）を長く形成するために、反り量および反り量のばらつきもより大きくなるので、上記問題点が発生しやすい。
【０００７】
この発明は、上記のような課題を解決するためになされたものであり、この発明の１つの目的は、反りの矯正に起因するレーザ特性の劣化および半導体レーザ素子の破損が発生するのを抑制することが可能な半導体レーザ装置を提供することである。
【課題を解決するための手段および発明の効果】
【０００８】
上記目的を達成するために、この発明の一の局面による半導体レーザ装置は、共振器の延びる第１方向または第１方向と交差する第２方向の少なくとも一方に沿って反りを有する半導体レーザ素子と、半導体レーザ素子の反りの凹側の表面上に形成されるとともに、ワイヤボンド部が設けられた電極層と、半導体レーザ素子の反りの凸側が固定される基台とを備え、半導体レーザ素子は、半導体レーザ素子の反りの凸側と、基台との間の距離が、共振器の延びる第１方向または第２方向の少なくとも一方に沿って半導体レーザ素子の反りに応じて変化するように基台に固定されるとともに、半導体レーザ素子の第１方向または第２方向のうちの少なくとも一方における半導体レーザ素子の反りの凸側と基台との間の距離のうち、実質的に最も小さい距離を有する領域近傍に対応する電極層の部分の近傍に、ワイヤボンド部が設けられるように構成されている。
【０００９】
この発明の一の局面による半導体レーザ装置では、上記のように、半導体レーザ素子を、半導体レーザ素子の反りの凸側と、基台との間の距離が、共振器の延びる第１方向または第２方向の少なくとも一方に沿って半導体レーザ素子の反りに応じて変化するように基台に固定するように構成することによって、半導体レーザ素子の反りにばらつきがあったとしても、半導体レーザ素子を、半導体レーザ素子自体の反りを矯正することなく基台に対して固定することができる。これにより、半導体レーザ素子に反りの矯正に起因する過度な応力が発生するのを抑制することができる。これにより、レーザ特性の劣化および半導体レーザ素子の破損が発生するのを抑制することができる。また、半導体レーザ素子を、第１方向または第２方向のうちの少なくとも一方における半導体レーザ素子の反りの凸側と基台との間の距離のうち、実質的に最も小さい距離を有する領域近傍に対応する電極層の部分の近傍にワイヤボンド部を設けるように構成することによって、半導体レーザ素子の基台の表面に対する傾きが最も小さい領域近傍に対応した電極層の部分にワイヤボンドを行うことができるので、半導体レーザ素子の傾きが大きい領域に対応した電極層の部分にワイヤボンドを行う場合と異なり、半導体レーザ素子に対してワイヤボンド時に過度な応力が加わるのが抑制される。これにより、レーザ特性の劣化および半導体レーザ素子の破損が発生するのを、より一層抑制することができる。
【００１０】
上記一の局面による半導体レーザ装置において、好ましくは、半導体レーザ素子は、半導体レーザ素子の第１方向または第２方向のうちの反りの大きい方向における半導体レーザ素子の反りの凸側と基台との間の距離のうち、実質的に最も小さい距離を有する領域近傍に対応する電極層の部分の近傍に、ワイヤボンド部が設けられている。このように構成すれば、半導体レーザ素子は、反りの大きい方向に対する基台への固定状態を優先的に考慮して基台に固定されるので、半導体レーザ素子の基台の表面に対する傾きが最も小さい領域近傍に対応した電極層の部分に容易にワイヤボンドを行うことができる。
【００１１】
上記反りの大きい方向の半導体レーザ素子と基台との間の最も小さい距離を有する領域近傍にワイヤボンド部が設けられる構成において、好ましくは、半導体レーザ素子の第１方向の反りは、第２方向の反りよりも大きく、半導体レーザ素子は、第１方向の反りの凸側と基台との間の距離のうち、実質的に最も小さい距離を有する領域近傍に対応する電極層の部分の近傍に、ワイヤボンド部が設けられている。このように構成すれば、半導体レーザ素子は、第１方向に対する基台への固定状態を優先的に考慮して基台に固定されるので、半導体レーザ素子の基台の表面に対する第１方向の傾きが最も小さい領域近傍に対応した電極層の部分に容易にワイヤボンドを行うことができる。
【００１２】
上記反りの大きい方向の半導体レーザ素子と基台との間の最も小さい距離を有する領域近傍にワイヤボンド部が設けられる構成において、好ましくは、半導体レーザ素子の第２方向の反りは、第１方向の反りよりも大きく、半導体レーザ素子は、第２方向の反りの凸側と基台との間の距離のうち、実質的に最も小さい距離を有する領域近傍に対応する電極層の部分の近傍に、ワイヤボンド部が設けられている。このように構成すれば、半導体レーザ素子は、第２方向に対する基台への固定状態を優先的に考慮して基台に固定されるので、半導体レーザ素子の基台の表面に対する第２方向の傾きが最も小さい領域近傍に対応した電極層の部分に容易にワイヤボンドを行うことができる。
【００１３】
上記一の局面による半導体レーザ装置において、好ましくは、半導体レーザ素子は、基板と、基板の表面上に形成される半導体レーザ素子部とを含み、半導体レーザ素子は、基板側が基台に対して融着層を介して固定され、融着層の厚みは、半導体レーザ素子の基板と基台とに挟まれた領域において、共振器の延びる第１方向または第２方向の少なくとも一方に沿って半導体レーザ素子の反りに応じて変化するように形成されている。このように構成すれば、厚みを変化させた融着層によって、半導体レーザ素子の基板と、基板を固定する基台との間に形成される隙間を半導体レーザ素子の反りに応じて効率よく埋めることができるので、容易に、半導体レーザ素子を、反りの矯正を行うことなく基台に固定することができる。
【００１４】
この場合、好ましくは、半導体レーザ素子を基台に固定する融着層は、半田からなる導電性接着層である。このように構成すれば、半田溶融時の特性により、容易に、厚みを変化させた融着層を形成することができる。
【００１５】
上記一の局面による半導体レーザ装置において、好ましくは、半導体レーザ素子は、窒化物系半導体層を有する半導体レーザ素子部を含む。このように、エピタキシャル成長時に反りが発生しやすい窒化物系半導体層を有する半導体レーザ素子部を基台に固定する場合でも、上記一の局面による構成を用いれば、容易に、反りの矯正に起因するレーザ特性の劣化および半導体レーザ素子部の破損を抑制することができる。
【００１６】
上記一の局面による半導体レーザ装置において、好ましくは、ワイヤボンド部は、半導体レーザ素子の第１方向の端部に位置する共振器の光出射端近傍または光反射端近傍のいずれか一方端近傍に設けられている。このように構成すれば、ワイヤボンド部が光出射端近傍に設けられている場合には、半導体レーザ素子の共振器の光出射端近傍における半導体レーザ素子と基台との間の距離が実質的に最も小さくなるので、半導体レーザ素子の共振器の光出射端近傍における半導体レーザ素子と基台との間の距離のばらつき量を小さくすることができる。これにより、半導体レーザ素子の共振器の光出射端から出射されるレーザ光の出射位置がばらつくのを抑制することができる。また、上記のように構成すれば、半導体レーザ素子の光出射端近傍の下面側を、基台の表面に略平行に近づけて配置することができる。これにより、光出射端から出射されるレーザ光の出射方向が基台の表面に対して上側に傾斜した状態で配置されるのを抑制することができる。この結果、半導体レーザ素子の共振器の光出射端から出射されるレーザ光の出射方向がばらつくのを抑制することができるので、半導体レーザ装置の組立歩留りを向上させることができる。
【００１７】
また、ワイヤボンド部が光反射端近傍に設けられている場合には、共振器内のレーザ光が光反射端において反射する際に、レーザ光の一部が光反射端によって吸収されることに伴う発熱を、半導体レーザ素子と基台との間の距離が実質的に最も小さい領域（ワイヤボンド領域）に位置する融着層およびワイヤボンド部を介して効率よく拡散（放熱）させることができる。また、上記のように構成すれば、形成後の半導体レーザ素子を平面的に観察することによって、ワイヤボンド部の形成されている位置が共振器の光反射端側であることが認識できる。これにより、半導体レーザ素子のレーザ光の出射方向（光反射端とは反対側の光出射端の位置）を容易に識別することができる。
【００１８】
なお、本発明において、共振器の光出射端および光反射端は、それぞれの共振器端面から出射されるレーザ光強度の大小関係により区別される。すなわち、相対的にレーザ光の出射強度の大きい側が光出射端であり、相対的にレーザ光の出射強度の小さい側が光反射端である。
【００１９】
上記一の局面による半導体レーザ装置において、好ましくは、ワイヤボンド部は、第２方向における半導体レーザ素子と基台とが略平行に配置された領域に対応する半導体レーザ素子の端部近傍に設けられている。このように構成すれば、半導体レーザ装置の製造プロセスにおいて、基台の上面と略平行なワイヤボンド部の直上から、配線部材（Ａｕワイヤなど）をワイヤボンド部に対してワイヤボンドすることができるので、電極層へのワイヤボンドを確実に行うことができる。
【００２０】
上記一の局面による半導体レーザ装置において、好ましくは、ワイヤボンド部は、半導体レーザ素子の第１方向の略中央部近傍に対応する電極層の部分の近傍に設けられている。このように構成すれば、半導体レーザ装置の製造プロセスにおいて、基台の上面と略平行なワイヤボンド部の直上から、配線部材（Ａｕワイヤなど）をワイヤボンド部に対してワイヤボンドすることができるので、電極層へのワイヤボンドを確実に行うことができる。
【００２１】
上記一の局面による半導体レーザ装置において、好ましくは、ワイヤボンド部は、半導体レーザ素子の第２方向の略中央部近傍に対応する電極層の部分の近傍に設けられている。このように構成すれば、半導体レーザ素子の基台の上面に対する傾きが第１方向のみならず第２方向にも最も小さい領域に設けられたワイヤボンド部にワイヤボンドを行うことができるので、第２方向における半導体レーザ素子の傾きが大きい領域に対応した電極層の部分にワイヤボンドを行う場合と異なり、半導体レーザ素子に対してワイヤボンド時に過度な応力が加わるのが抑制される。これにより、レーザ特性に劣化および半導体レーザ素子の破損が発生するのを、より一層抑制することができる。
【００２２】
上記一の局面による半導体レーザ装置において、好ましくは、半導体レーザ素子の上面には、電極層に接続されるリッジ部が形成され、ワイヤボンド部は、リッジ部が形成されている領域以外の領域に設けられている。このように構成すれば、ワイヤボンド部の直下にはリッジ部が配置されていないので、ワイヤボンド時に、ワイヤボンド部に上方から加えられる衝撃荷重がリッジ部に対して直接的に加わらない。これにより、リッジ部をワイヤボンド時の衝撃荷重から保護することができる。
【００２３】
上記一の局面による半導体レーザ装置において、好ましくは、ワイヤボンド部は、平面的に見て、電極層から第２方向に突出するように設けられている。このように構成すれば、容易に、電極層に接続されるリッジ部を配線部材（Ａｕワイヤなど）のワイヤボンド時の衝撃荷重から保護することができる。
【発明を実施するための最良の形態】
【００２４】
以下、本発明の実施形態を図面に基づいて説明する。
【００２５】
図１は、本発明の半導体レーザ装置の概略的な構造を説明するための断面図である。図１を参照して、本発明の具体的な実施形態を説明する前に、本発明の半導体レーザ装置１の概略的な構造について説明する。
【００２６】
本発明の半導体レーザ装置１では、図１に示すように、半導体レーザ素子１０が、金属層などからなる導電性接着層２０を介して基台３０に固定されている。なお、導電性接着層２０は、本発明の「融着層」の一例である。
【００２７】
半導体レーザ素子１０は、共振器の延びる方向（Ａ方向）に沿って反りを有する。また、半導体レーザ素子１０は、共振器の延びる方向（Ａ方向）の両端部に、それぞれ、光出射面１０ａおよび光反射面１０ｂを有している。なお、光出射面１０ａは、本発明の「光出射端」の一例であり、光反射面１０ｂは、本発明の「光反射端」の一例である。
【００２８】
ここで、本発明の半導体レーザ装置１では、半導体レーザ素子１０は、反りの凸側が基台３０の上面３０ａに固定されている。
【００２９】
また、半導体レーザ素子１０は、窒化ガリウム基板、サファイア基板、シリコン基板およびシリコンカーバイト基板などの基板上に半導体層（半導体レーザ素子部）を形成することにより構成することが可能とされている。
【００３０】
また、半導体レーザ素子１０の光出射面１０ａおよび光反射面１０ｂに誘電体多層膜が形成されてもよい。
【００３１】
（第１実施形態）
図２は、本発明の第１実施形態による半導体レーザ装置を備えた半導体レーザの構造を示した斜視図である。図３は、図２に示した第１実施形態による半導体レーザ装置の構造を示した断面図である。図４は、図２に示した第１実施形態による半導体レーザ装置の構造を示した平面図である。図５〜図７は、図２に示した本発明の第１実施形態による半導体レーザ装置の半導体レーザ素子の構造を示した斜視図および断面図である。まず、図２〜図７を参照して、第１実施形態による半導体レーザ装置４０およびそれを備えた半導体レーザの構造について説明する。
【００３２】
第１実施形態による半導体レーザ装置４０を備えた半導体レーザでは、図２および図３に示すように、半導体レーザ素子５０が、ＡｕＳｎなどの導電性接着層６０を介して、基台７０に固定されている。なお、導電性接着層６０は、本発明の「融着層」の一例である。また、基台７０は、図２に示すように、ＡｕＳｎなどの導電性接着層６１を介して、金属製のステム８０の本体部８１に設けられた台座部８２に固定されている。このステム８０には、２つのリード端子８３および８４が設けられている。
【００３３】
また、半導体レーザ素子５０の上面は、図２に示すように、Ａｕワイヤ９０を用いて、ステム８０のリード端子８３にワイヤボンディングされている。また、基台７０の上面７０ａは、Ａｕワイヤ９１を用いて、ステム８０の台座部８２にワイヤボンディングされている。また、ステム８０の本体部８１には、レーザ光が透過する窓付きの図示しないキャップが取り付けられている。
【００３４】
また、半導体レーザ素子５０は、図４および図５に示すように、約２００μｍの幅（Ｗ１）と、共振器の延びる方向（Ｂ方向）に約１０００μｍの長さ（Ｌ１）と、約１００μｍの厚み（ｔ１）（図５参照）とを有している。なお、Ｂ方向は、本発明の「第１方向」の一例である。
【００３５】
ここで、第１実施形態では、図３に示すように、半導体レーザ素子５０は、基台７０側に配置された基板１００と、基台７０とは反対側に配置された半導体レーザ素子部１１０とから構成されている。なお、基板１００は、本発明の「基板」の一例である。
【００３６】
具体的には、図５および図６に示すように、窒化ガリウム、シリコンおよびシリコンカーバイトなどからなる基板１００の上面上に、ｎ型ＡｌＧａＮクラッド層１１１、ＧａＩｎＮからなる活性層１１２およびｐ型ＡｌＧａＮクラッド層１１３がエピタキシャル成長により形成されている。そして、これらｎ型ＡｌＧａＮクラッド層１１１、活性層１１２およびｐ型ＡｌＧａＮクラッド層１１３などの窒化物系半導体層によって、半導体レーザ素子部１１０が形成されている。なお、ｎ型ＡｌＧａＮクラッド層１１１、活性層１１２およびｐ型ＡｌＧａＮクラッド層１１３は、本発明の「窒化物系半導体層」の一例である。また、ｐ型ＡｌＧａＮクラッド層１１３には、Ｂ方向（図５参照）に延びるリッジ部１１３ａを形成することによって、導波路構造が形成されている。なお、リッジ部１１３ａは、約２μｍの幅を有するように形成されている。また、半導体レーザ素子部１１０のＢ方向の端部には、図３に示すように、光出射面（共振器面）１１０ａおよび光反射面（共振器面）１１０ｂが形成されている。なお、光出射面１１０ａは、本発明の「光出射端」の一例であり、光反射面１１０ｂは、本発明の「光反射端」の一例である。また、光出射面１１０ａ、光反射面１１０ｂおよび導波路構造によって、Ｂ方向に延びる共振器が構成されている。なお、光出射面１１０ａおよび光反射面１１０ｂ上には、図示しない誘電体多層膜が形成されている。また、図５および図６に示すように、ｐ型ＡｌＧａＮクラッド層１１３のリッジ部１１３ａ以外の上面上には、ＳｉＯ２からなる絶縁膜１１４が形成されている。
【００３７】
また、図５および図６に示すように、基板１００の下面上には、Ａｕ膜からなるｎ側電極１０１が形成されている。なお、第１実施形態では、ｎ側電極１０１の下面側が、ダイボンド面とされている。また、ｐ型ＡｌＧａＮクラッド層１１３のリッジ部１１３ａおよび絶縁膜１１４の上面上には、リッジ部１１３ａの延びる方向（Ｂ方向）（図５参照）に沿ってＡｕ膜からなるｐ側電極１１５が形成されている。また、図５および図６に示すように、リッジ部１１３ａの上部には、リッジ部１１３ａ（クラッド層）とｐ側電極１１５との電気的接触を確実に行うために、約１ｎｍの厚みを有するＰｔ層と、約３０ｎｍの厚みを有するＰｄ層と、約１ｎｍの厚みを有するＴｉ層からなるオーミック層１１６が形成されている。また、ｐ側電極１１５は、約９ｎｍの厚みを有するＰｔ層と、約１５０ｎｍの厚みを有するＰｄ層とを積層するとともに、最表面が約２．２μｍの厚みを有するＡｕ膜により覆われている。
【００３８】
また、図４に示すように、ｐ側電極１１５は、約２０μｍの幅（Ｗ２）を有するとともに、約２．２μｍの厚み（ｔ２）（図６参照）を有している。また、ｐ側電極１１５の長さは、共振器（半導体レーザ素子５０）の長さＬ１より若干短くなるように構成されている。
【００３９】
また、第１実施形態では、図３および図５に示すように、半導体レーザ素子５０は、ヘテロ接合の添加元素の種類や量によって異なるが、共振器の延びる方向（Ｂ方向）に沿って約０．５μｍ〜約３μｍの反りを有している。すなわち、半導体レーザ素子５０は、上面（第１主面）側が凹状であり、下面（第２主面）側が凸状になるような反りを有している。また、半導体レーザ素子部１１０は、基板１００とは反対側の表面が凹状に形成されており、半導体レーザ素子５０は、反りの凸側（基板１００側）が基台７０（図３参照）に固定されている。この半導体レーザ素子５０の反りは、基板１００と半導体レーザ素子部１１０との熱膨張係数差および格子定数差に起因して発生する。
【００４０】
具体的には、以下の表１に示すように、窒化ガリウムは、約５．５９×１０−６／Ｋのａ軸方向の熱膨張係数を有するとともに、約０．３１８９ｎｍのａ軸方向の格子定数を有する。また、シリコンは、約２．６×１０−６／Ｋのａ軸方向の熱膨張係数を有するとともに、約０．５４３ｎｍのａ軸方向の格子定数を有する。また、シリコンカーバイトは、約４．２×１０−６／Ｋのａ軸方向の熱膨張係数を有するとともに、約０．３０８１ｎｍのａ軸方向の格子定数を有する。また、本案の半導体レーザ素子部１１０の主材料であるＡｌＧａＮは、約４．１５×１０−６／Ｋ〜約５．５９×１０−６／Ｋのａ軸方向の熱膨張係数を有するとともに、約０．３１１２ｎｍ〜約０．３１８９ｎｍのａ軸方向の格子定数を有する。また、本案の半導体レーザ素子部１１０の活性層であるＧａＩｎＮは、約３．８×１０−６／Ｋ〜約５．５９×１０−６／Ｋのａ軸方向の熱膨張係数を有するとともに、約０．３１８９ｎｍ〜約０．３５３３ｎｍのａ軸方向の格子定数を有している。
【００４１】
【表１】
2008294424.tif 000003
そして、基板１００が窒化ガリウムからなる場合、半導体レーザ素子部１１０を構成するｎ型ＡｌＧａＮクラッド層１１１およびｐ型ＡｌＧａＮクラッド層１１３の格子定数が基板１００の格子定数よりも小さいことに起因して、半導体レーザ素子５０の基板１００側が凸状になる（半導体レーザ素子部１１０側が凹状になる）ように反りが発生する。なお、活性層１１２は、基板１００よりも大きい格子定数を有しているが、活性層１１２の厚みは、ｎ型ＡｌＧａＮクラッド層１１１およびｐ型ＡｌＧａＮクラッド層１１３の厚みよりも小さいので、半導体レーザ素子５０の基板１００側が凸状になるような向きに反りが発生すると考えられている。その一方、基板１００がシリコンまたはシリコンカーバイトからなる場合、半導体レーザ素子部１１０を構成するｎ型ＡｌＧａＮクラッド層１１１、活性層１１２およびｐ型ＡｌＧａＮクラッド層１１３の熱膨張係数が基板１００の熱膨張係数よりも大きいことに起因して、半導体レーザ素子５０の基板１００側が凸状になる（半導体レーザ素子部１１０側が凹状になる）ような向きに反りが発生すると考えられている。
【００４２】
ここで、第１実施形態では、図３に示すように、半導体レーザ素子５０は、半導体レーザ素子５０の反りの凸側（基板１００側）と、基台７０との間の距離が、共振器の延びる方向（Ｂ方向）に沿って半導体レーザ素子５０の反りに応じて変化するように、導電性接着層６０を介して基台７０に固定されている。
【００４３】
具体的には、図３に示すように、半導体レーザ素子５０は、半導体レーザ素子５０の共振器の光出射面１１０ａ近傍における半導体レーザ素子５０と基台７０との間の距離（導電性接着層６０の厚み）Ｈ３が、半導体レーザ素子５０の共振器の光反射面１１０ｂ近傍における半導体レーザ素子５０と基台７０との間の距離（導電性接着層６０の厚み）Ｈ４よりも小さくなるようにＡｕＳｎなどの導電性接着層６０を形成することにより、基板１００側が基台７０に対して導電性接着層６０を介して固定されている。なお、第１実施形態では、導電性接着層６０の材料として、半田を用いている。
【００４４】
また、図６に示すように、導電性接着層６０は、半導体レーザ素子５０と同じ幅（Ｗ１＝約２００μｍ）および長さ（Ｌ１＝約１０００μｍ）（図５参照）を有するとともに、約１〜５μｍの厚みを有している。なお、半導体レーザ素子５０は、共振器の幅方向（Ｃ方向）には反りを有していない。したがって、半導体レーザ素子５０は、図３に示すように、反りを有するＢ方向の形状を考慮して基台７０に固定されている。なお、Ｃ方向は、本発明の「第２方向」の一例である。
【００４５】
また、図３に示すように、半導体レーザ素子５０の光出射面１１０ａ側は、基台７０の上面７０ａと略平行に配置されている。すなわち、半導体レーザ素子５０は、光出射面１１０ａから出射されるレーザ光の出射方向が、基台７０の上面７０ａの延びる方向と略平行になるように配置されている。
【００４６】
また、第１実施形態では、図４および図５に示すように、半導体レーザ素子５０のｐ側電極１１５に設けられたワイヤボンド部１１５ａは、光出射面１１０ａ近傍の絶縁膜１１４の上面上に設けられている。すなわち、ワイヤボンド部１１５ａは、半導体レーザ素子５０と基台７０との間の距離のうち、実質的に最も小さい距離を有する領域近傍（導電性接着層６０の厚みが実質的にＨ３（図３参照）である領域）に対応するｐ側電極１１５の部分に設けられている。なお、ワイヤボンド部１１５ａは、図４に示すように、約８０μｍ〜約９０μｍの幅（Ｗ３）と、Ｂ方向に約５０μｍ〜約６０μｍの長さ（Ｌ２）と、ｐ側電極１１５と同じ厚みである約２．２μｍの厚み（ｔ２）（図７参照）とを有している。
【００４７】
また、第１実施形態では、図４、図５および図７に示すように、半導体レーザ素子５０のリッジ部１１３ａおよびｐ側電極１１５は、半導体レーザ素子５０の共振器の幅方向（Ｃ方向）の中心線５００（１点鎖線）（図４参照）から所定距離（約２０μｍ）を隔てて中心線５００と略平行に延びるように形成されている。また、ワイヤボンド部１１５ａは、リッジ部１１３ａの直上にオーミック層１１６を介して形成されたｐ側電極１１５から半導体レーザ素子５０の幅方向（Ｃ方向）に突出するとともに、中心線５００（図４参照）を横断してリッジ部１１３ｂが形成されていない領域の絶縁膜１１４の上面上に設けられている。
【００４８】
また、基台７０は、図４に示すように、約９００μｍの幅（Ｗ４）と、約１２００μｍの長さ（Ｌ３）と、約２５０μｍの厚み（ｔ３）（図３参照）とを有している。
【００４９】
また、基台７０は、図３および図６に示すように、ＳｉＣまたはＡｌＮからなる基板７０ｂを含んでいる。この基板７０ｂの上面上および下面上の全面には、約１００ｎｍの厚みを有するＴｉ層と、約２０ｎｍの厚みを有するＰｔ層と、約３０ｎｍの厚みを有するＡｕ層からなる下地金属層７０ｃが形成されている。この下地金属層７０ｃは、導電性接着層６０を基台７０に接着するために設けられている。
【００５０】
図８は、本発明の第１実施形態による半導体レーザ装置を備えた半導体レーザの製造プロセスを説明するための図である。次に、図２、図３、図５および図８を参照して、第１実施形態による半導体レーザ装置４０を備えた半導体レーザの製造プロセスについて説明する。
【００５１】
まず、図５に示すように、基板１００の上面上に、ｎ型ＡｌＧａＮクラッド層１１１、ＧａＩｎＮからなる活性層１１２およびｐ型ＡｌＧａＮクラッド層１１３をエピタキシャル成長させることにより、半導体レーザ素子部１１０を形成する。そして、ｐ型ＡｌＧａＮクラッド層１１３に、Ｂ方向に延びるリッジ部１１３ａを形成した後、ｐ型ＡｌＧａＮクラッド層１１３のリッジ部１１３ａ以外の上面上に、ＳｉＯ２からなる絶縁膜１１４を形成する。その後、基板１００の下面上に、Ａｕ膜からなるｎ側電極１０１を形成するとともに、ｐ型ＡｌＧａＮクラッド層１１３のリッジ部１１３ａの上面上に、Ｐｔ層、Ｐｄ層およびＴｉ層からなるオーミック層１１６を形成する。そして、オーミック層１１６および絶縁膜１１４の上面上に、最表面がＡｕ膜からなるｐ側電極１１５を形成する。そして、半導体レーザ素子部１１０の共振器の光出射面１１０ａおよび光反射面１１０ｂ上に、図示しない誘電体多層膜を形成することによって、半導体レーザ素子５０を形成する。このとき、第１実施形態では、図５に示すように、基板１００と半導体レーザ素子部１１０との熱膨張係数差および格子定数差に起因して、基板１００側が凸状になる（半導体レーザ素子部１１０側が凹状になる）ように、半導体レーザ素子５０に反りが発生する。
【００５２】
次に、第１実施形態では、図３に示すように、半導体レーザ素子５０の共振器の光出射面１１０ａ近傍における半導体レーザ素子５０と基台７０との間の距離（導電性接着層６０の厚み）Ｈ３が、半導体レーザ素子５０の共振器の光反射面１１０ｂ近傍における半導体レーザ素子５０と基台７０との間の距離（導電性接着層６０の厚み）Ｈ４よりも小さくなるように、半導体レーザ素子５０の反りの凸側（基板１００側）を基台７０に対してダイボンドする。このとき、同時に、基台７０をステム８０の台座部８２（図２参照）に固定する。
【００５３】
具体的には、図８に示すように、窒素雰囲気中において、金属製のステム８０（図２参照）の台座部８２（図２参照）上に、導電性接着層６１（図２参照）と、導電性接着層６０が所定の領域に配置された基台７０と、半導体レーザ素子５０とを順に配置する。
【００５４】
ここで、第１実施形態では、図８に示すように、導電性接着層６０の厚みが、共振器の長さ方向（Ｂ方向）に３通り（３段階）に変化させるようにして基台７０の上面７０ａに配置する。すなわち、半田からなる導電性接着層６０を、光出射面１１０ａ近傍から光反射面１１０ｂに向かって段階的に厚みを増すように、基台７０の上面７０ａに配置する。
【００５５】
そして、第１実施形態では、図８に示すように、ステム８０（図２参照）を高温にするとともに、半導体レーザ素子５０の光出射面１１０ａ近傍を、セラミック製のコレット１２０により導電性接着層６０を介して基台７０に対してＰ方向に押圧する。このとき、半導体レーザ素子５０の光出射面１１０ａ近傍をコレット１２０により押圧した状態では、コレット１２０により押圧された領域（半導体レーザ素子５０の光出射面１１０ａ側）の導電性接着層６０は、溶融しながらコレット１２０により押圧されていない領域（半導体レーザ素子５０の光反射面１１０ｂ側）に移動するとともに、光反射面１１０ｂ側の半導体レーザ素子５０と基台７０との間の導電性接着層６０も熱伝導により溶融する。この結果、図３に示すように、導電性接着層６０が半導体レーザ素子５０の反り形状に対応して厚みを変化させる。すなわち、第１実施形態では、半導体レーザ素子５０の反りを矯正することなく半導体レーザ素子５０の反りに応じて導電性接着層６０の厚みが変化する。なお、コレット１２０には、穴部１２０ａが設けられており、穴部１２０ａの内部を真空にすることにより半導体レーザ素子５０を吸着することが可能である。
【００５６】
ここで、図８に示すように、半導体レーザ素子５０のＢ方向の反りの形状に対応するように複数の異なる厚みを有する導電性接着層６０を配置することにより、図３に示すように、半導体レーザ素子５０の反りの形状に対応するように接着後の導電性接着層６０の厚みを容易に変化させることが可能となる。この場合、図８に示すように、厚みが最も小さい（薄い）導電性接着層６０の上部において、半導体レーザ素子５０をコレット１２０により押圧するのがより好ましい。また、図３に示すように、半導体レーザ素子５０をコレット１２０により押圧した下部の導電性接着層６０の厚みが最も小さくなるように基台７０に対して固定されることにより、容易に、反りを矯正することなく半導体レーザ素子５０を固定することが可能である。
【００５７】
また、ステム８０（図２参照）とともに高温となった台座部８２（図２参照）と、基台７０（図２参照）とに挟まれた導電性接着層６１（図２参照）も熱伝導により溶融する。
【００５８】
その後、図２に示すように、ステム８０を冷却して導電性接着層６０および６１を固化することによって、半導体レーザ素子５０が導電性接着層６０を介して基台７０に固定されるとともに、基台７０が導電性接着層６１を介してステム８０の台座部８２に固定される。
【００５９】
そして、半導体レーザ素子５０のワイヤボンド部１１５ａとステム８０のリード端子８３とを、Ａｕワイヤ９０を用いてワイヤボンドすることにより接続するとともに、基台７０の上面７０ａとステム８０の台座部８２とを、Ａｕワイヤ９１を用いてワイヤボンドすることにより接続する。最後に、ステム８０の本体部８１に、レーザ光が透過する窓付きの図示しないキャップを取り付ける。
【００６０】
このようにして、第１実施形態による半導体レーザ装置４０を備えた半導体レーザが製造される。
【００６１】
第１実施形態では、上記のように、半導体レーザ素子５０を、半導体レーザ素子５０の反りの凸側と、基台７０との間の距離が、共振器の延びる方向（Ｂ方向）に沿って半導体レーザ素子５０の反りに応じて変化するように基台７０に固定することによって、半導体レーザ素子５０の反りにばらつきがあったとしても、半導体レーザ素子５０を、半導体レーザ素子５０自体の反りを矯正することなく基台７０に対して固定することができる。これにより、半導体レーザ素子５０に反りの矯正に起因する過度な応力が発生するのを抑制することができる。これにより、レーザ特性の劣化および半導体レーザ素子５０（半導体レーザ素子部１１０）の破損が発生するのを抑制することができる。
【００６２】
また、第１実施形態では、半導体レーザ素子５０を、半導体レーザ素子５０の共振器方向（Ｂ方向）の反りの凸側と基台７０との間の距離のうち、実質的に最も小さい距離を有する領域近傍（導電性接着層６０の厚みが実質的にＨ３（図３参照）である領域）に対応するｐ側電極１１５の部分にワイヤボンド部１１５ａを設けている。すなわち、共振器の伸びる方向（Ｂ方向）に沿ったワイヤボンド部１１５ａを含む断面において、ワイヤボンド部１１５ａは、半導体レーザ素子５０と基台７０との距離が実質的に最も小さい領域に対応する領域に形成されている。これにより、半導体レーザ素子５０の基台７０の上面７０ａに対する傾きが最も小さい領域に設けられたワイヤボンド部１１５ａにＡｕワイヤ９０のワイヤボンドを行うことができるので、半導体レーザ素子５０の傾きが大きい領域に対応したｐ側電極１１５の部分にワイヤボンドを行う場合と異なり、半導体レーザ素子５０に対してワイヤボンド時に過度な応力が加わるのが抑制される。これにより、レーザ特性の劣化および半導体レーザ素子５０（半導体レーザ素子部１１０）の破損が発生するのを、より一層抑制することができる。
【００６３】
また、第１実施形態では、半導体レーザ素子５０が、反りの大きいＢ方向に対する基台７０への固定状態を優先的に考慮して基台７０に固定されるので、半導体レーザ素子５０の基台７０の上面７０ａに対する傾きが最も小さい領域に設けられたワイヤボンド部１１５ａに容易にワイヤボンドを行うことができる。
【００６４】
また、第１実施形態では、半導体レーザ素子５０を、基板１００側が基台７０に対して導電性接着層６０を介して固定するとともに、導電性接着層６０の厚みを、半導体レーザ素子５０の基板１００と基台７０とに挟まれた領域において、共振器の延びる方向（Ｂ方向）に沿って半導体レーザ素子５０の反りに応じて変化するように形成することによって、厚みを変化させた導電性接着層６０によって、半導体レーザ素子５０の基板１００と、基板１００を固定する基台７０との間に形成される隙間を半導体レーザ素子５０の反りに応じて効率よく埋めることができるので、容易に、半導体レーザ素子５０を、反りの矯正を行うことなく基台７０に固定することができる。
【００６５】
また、第１実施形態では、半導体レーザ素子５０を基台７０に固定する導電性接着層６０を、半田からなる融着層により構成することによって、半田溶融時の特性により、容易に、厚みを変化させた融着層を形成することができる。
【００６６】
また、第１実施形態では、半導体レーザ素子５０を、ｎ型ＡｌＧａＮクラッド層１１１、ＧａＩｎＮからなる活性層１１２およびｐ型ＡｌＧａＮクラッド層１１３などの窒化物系半導体層を有する半導体レーザ素子部１１０を含む。このように、エピタキシャル成長時に反りが発生しやすい窒化物系半導体層を有する半導体レーザ素子部１１０を基台７０に固定する場合でも、上記第１実施形態による構成を用いれば、容易に、反りの矯正に起因するレーザ特性の劣化および半導体レーザ素子部１１０の破損を抑制することができる。
【００６７】
また、第１実施形態では、ワイヤボンド部１１５ａを、半導体レーザ素子５０の共振器の光出射面１１０ａ近傍における半導体レーザ素子５０と基台７０との間の距離Ｈ３が、半導体レーザ素子５０の共振器の光反射面１１０ｂ近傍における半導体レーザ素子５０と基台７０との間の距離Ｈ４よりも小さい領域近傍に対応するｐ側電極１１５の部分の近傍に設けることによって、半導体レーザ素子５０の共振器の光出射面１１０ａ近傍における半導体レーザ素子５０と基台７０との間の距離Ｈ３が大きい場合に比べて、半導体レーザ素子５０の共振器の光出射面１１０ａ近傍における半導体レーザ素子５０と基台７０との間の距離Ｈ３のばらつき量が小さくなる。これにより、半導体レーザ素子５０の共振器の光出射面１１０ａから出射されるレーザ光の出射位置のばらつきが抑制され、かつ、レーザ特性の劣化および半導体レーザ素子５０の破損が抑制された半導体レーザ装置４０を得ることができる。また、上記のように構成することによって、半導体レーザ素子５０の光出射面１１０ａに対応する下面側を、基台７０の表面７０ａに略平行に近づけて配置することができる。これにより、光出射面１１０ａから出射されるレーザ光の出射方向が基台７０の表面７０ａに対して上側に傾斜した状態で配置されるのを抑制することができる。この結果、半導体レーザ素子５０から出射されるレーザ光の出射方向がばらつくのを抑制することができるので、半導体レーザ装置４０の組立歩留りを向上させることができる。
【００６８】
また、第１実施形態では、半導体レーザ素子５０を、共振器の光出射面１１０ａの下面側（ｎ側電極１０１側）が基台７０の上面７０ａと略平行に配置することによって、光出射面１１０ａの近傍に設けられたワイヤボンド部１１５ａを、基台７０の上面７０ａと略平行に配置することができるので、ワイヤボンド部１１５ａに上方から加えられるワイヤボンド時の衝撃荷重が、半導体レーザ素子５０の共振器の幅方向（図４のＣ方向）に偏って加えられるのを抑制することができる。
【００６９】
また、第１実施形態では、半導体レーザ素子５０の上面に、共振器の延びる方向（Ｂ方向）に沿う共振器の幅方向（図４のＣ方向）の中心線５００（図４の１点鎖線）に対し、所定距離（約２０μｍ）を隔てて中心線５００と略平行に延びるとともに、オーミック層１１６を介してｐ側電極１１５に接続されるリッジ部１１３ａを形成し、かつ、ワイヤボンド部１１５ａを、リッジ部１１３ａが形成されていない領域の絶縁膜１１４（図５参照）の上面上に設けることによって、ワイヤボンド部１１５ａの直下にはリッジ部１１３ａおよびオーミック層１１６が配置されていないので、ワイヤボンド時に、ワイヤボンド部１１５ａに上方から加えられる衝撃荷重がリッジ部１１３ａおよびオーミック層１１６に対して直接的に加わらない。これにより、リッジ部１１３ａおよびオーミック層１１６をワイヤボンド時の衝撃荷重から保護することができる。
【００７０】
また、第１実施形態では、リッジ部１１３ａとワイヤボンド部１１５ａとを、共振器の幅方向（図４のＣ方向）における半導体レーザ素子５０の略中央部（中心線５００の近傍領域）を挟んで互いに反対の方向に形成することによって、リッジ部１１３ａが中心線５００からＣ方向の一方側にずらされた分だけワイヤボンド部１１５ａを中心線５００により近づけて配置することができる。これにより、ワイヤボンド時に、ワイヤボンド部１１５ａに上方から加えられる衝撃荷重が、半導体レーザ素子５０の共振器の幅方向（図４のＣ方向）に偏って加えられるのを抑制することができる。
【００７１】
また、第１実施形態では、ワイヤボンド部１１５ａを、平面的に見て、ｐ側電極１１５から共振器の幅方向（Ｃ方向）に突出するように設けることによって、容易に、ｐ側電極１１５の下部のリッジ部１１３ａおよびオーミック層１１６をワイヤボンド時の衝撃荷重から保護することができる。
【００７２】
（第２実施形態）
図９は、本発明の第２実施形態による半導体レーザ装置の構造を示した断面図である。図１０は、図９に示した第２実施形態による半導体レーザ装置の構造を示した斜視図である。図１１は、図９に示した第２実施形態による半導体レーザ装置の構造を示した平面図である。図９〜図１１を参照して、この第２実施形態では、上記第１実施形態と異なり、半導体レーザ素子５０が、共振器の光反射面１１０ｂ近傍における基台７０との間の距離が、光出射面１１０ａ近傍における距離よりも小さくなるように基台７０に固定されている場合について説明する。
【００７３】
第２実施形態による半導体レーザ装置１３０では、図９および図１０に示すように、上記第１実施形態と同様に、半導体レーザ素子５０が、半導体レーザ素子５０の反りの凸側（基板１００側）と、基台７０との間の距離が、共振器の延びる方向（Ｂ方向）に沿って変化するように、ＡｕＳｎなどの導電性接着層１４０（図９参照）を介して、基台７０に固定されている。
【００７４】
また、第２実施形態では、図９に示すように、半導体レーザ素子５０は、半導体レーザ素子５０の共振器の光反射面１１０ｂ近傍における半導体レーザ素子５０と基台７０との間の距離（導電性接着層１４０の厚み）Ｈ５が、半導体レーザ素子５０の共振器の光出射面１１０ａ近傍における半導体レーザ素子５０と基台７０との間の距離（導電性接着層１４０の厚み）Ｈ６よりも小さくなるようにＡｕＳｎなどの導電性接着層１４０を形成することにより、基板１００側が基台７０に対して導電性接着層１４０を介して固定されている。
【００７５】
また、図９に示すように、半導体レーザ素子５０の光反射面１１０ｂ側は、基台７０の上面７０ａと略平行に配置されている。すなわち、半導体レーザ素子５０は、光反射面１１０ｂにおいて反射されるレーザ光の方向が、基台７０の上面７０ａの延びる方向と略平行になるように配置されている。
【００７６】
また、第２実施形態では、図１０および図１１に示すように、半導体レーザ素子５０のｐ側電極１１５に設けられたワイヤボンド部１１５ａは、光反射面１１０ｂ近傍に対応するように設けられている。すなわち、ワイヤボンド部１１５ａは、半導体レーザ素子５０と基台７０との間の距離のうち、実質的に最も小さい距離を有する領域近傍（導電性接着層１４０の厚みが実質的にＨ５（図９参照）である領域）に対応するｐ側電極１１５の部分に設けられている。
【００７７】
また、第２実施形態では、図１０および図１１に示すように、半導体レーザ素子５０のリッジ部１１３ａおよびｐ側電極１１５は、半導体レーザ素子５０の共振器の幅方向（Ｃ方向）の中心線５００（１点鎖線）（図１１参照）から所定距離（約２０μｍ）を隔てて中心線５００と略平行に延びるように半導体レーザ素子部１１０の上面側に形成されている。また、ワイヤボンド部１１５ａは、リッジ部１１３ａの直上にオーミック層１１６を介して形成されたｐ側電極１１５から半導体レーザ素子５０のＣ方向に突出するとともに、中心線５００（図１１参照）を横断してリッジ部１１３ｂが形成されていない領域の絶縁膜１１４の上面上に設けられている。
【００７８】
なお、第２実施形態による半導体レーザ装置１３０のその他の構造は、上記第１実施形態と同様である。
【００７９】
図１２は、本発明の第２実施形態による半導体レーザ装置を備えた半導体レーザの製造プロセスを説明するための図である。次に、図２および図９〜図１２を参照して、第２実施形態による半導体レーザ装置１３０を備えた半導体レーザの製造プロセスについて説明する。
【００８０】
まず、上記第１実施形態と同様の製造プロセスにより、半導体レーザ素子５０を形成する。
【００８１】
次に、第２実施形態では、図９に示すように、半導体レーザ素子５０の共振器の光反射面１１０ｂ近傍における半導体レーザ素子５０と基台７０との間の距離（導電性接着層１４０の厚み）Ｈ５が、半導体レーザ素子５０の共振器の光出射面１１０ａ近傍における半導体レーザ素子５０と基台７０との間の距離（導電性接着層１４０の厚み）Ｈ６よりも小さくなるように、半導体レーザ素子５０の反りの凸側（基板１００側）を基台７０に対してダイボンドする。このとき、同時に、基台７０をステム８０の台座部８２（図２参照）に固定する。
【００８２】
また、第２実施形態では、図１２に示すように、導電性接着層１４０の厚みが、共振器の長さ方向（Ｂ方向）に３通り（３段階）に変化させるようにして基台７０の上面７０ａに配置する。すなわち、半田からなる導電性接着層１４０を、光反射面１１０ｂ近傍から光出射面１１０ａに向かって段階的に厚みを増すように、基台７０の上面７０ａに配置する。
【００８３】
そして、図１２に示すように、上記第１実施形態と同様のプロセスを用いて、半導体レーザ素子５０の反りの凸側（基板１００側）を基台７０にダイボンドする。このとき、半導体レーザ素子５０の光反射面１１０ｂ近傍をコレット１２０によりＰ方向に押圧した状態では、コレット１２０により押圧された領域（半導体レーザ素子５０の光反射面１１０ｂ側）の導電性接着層１４０は、溶融しながらコレット１２０により押圧されていない領域（半導体レーザ素子５０の光出射面１１０ａ側）に移動するとともに、光出射面１１０ａ側の半導体レーザ素子５０と基台７０との間の導電性接着層１４０も熱伝導により溶融する。この結果、図９に示すように、導電性接着層１４０が半導体レーザ素子５０の反り形状に対応して厚みを変化させる。すなわち、第２実施形態においても、半導体レーザ素子５０の反りを矯正することなく半導体レーザ素子５０の反りに応じて導電性接着層１４０の厚みが変化することにより、基台７０に固定される。
【００８４】
なお、第２実施形態のその他の製造プロセスは、上記第１実施形態の製造プロセスと同様であり、このようにして、第２実施形態による半導体レーザ装置１３０を備えた半導体レーザが製造される。
【００８５】
第２実施形態では、上記のように、ワイヤボンド部１１５ａを、半導体レーザ素子５０の共振器の光反射面１１０ｂ近傍に設けるように構成することによって、共振器内のレーザ光が光反射面１１０ｂにおいて反射する際に、レーザ光の一部が光反射面１１０ｂによって吸収されることに伴う発熱を、半導体レーザ素子５０と基台７０との間の距離が実質的に最も小さい領域（導電性接着層１６０の厚みが実質的にＨ５（図９参照）である領域）に位置する導電性接着層１４０およびワイヤボンド部１１５ａを介して効率よく拡散（放熱）させることができる。
【００８６】
また、第２実施形態では、ワイヤボンド部１１５ａを、半導体レーザ素子５０の共振器の光反射面１１０ｂ近傍における半導体レーザ素子５０と基台７０との間の距離Ｈ５が、半導体レーザ素子５０の共振器の光出射面１１０ａ近傍における半導体レーザ素子５０と基台７０との間の距離Ｈ６よりも小さい領域近傍に対応するｐ側電極１１５の部分の近傍に設けることによって、形成後の半導体レーザ素子５０を平面的に観察することによって、ワイヤボンド部１１５ａの形成されている位置が共振器の光反射面１１０ｂ側であることが認識できる。これにより、半導体レーザ素子５０のレーザ光の出射方向（光出射面１１０ａの位置）を容易に識別することができる。
【００８７】
また、第２実施形態では、半導体レーザ素子５０を、共振器の光反射面１１０ｂの下面側（ｎ側電極１０１側）が基台７０の上面７０ａと略平行に配置することによって、光反射面１１０ｂの近傍に設けられたワイヤボンド部１１５ａを、基台７０の上面７０ａと略平行に配置することができるので、ワイヤボンド部１１５ａに上方から加えられるワイヤボンド時の衝撃荷重が、半導体レーザ素子５０の共振器の幅方向（図１１のＣ方向）に偏って加えられるのを抑制することができる。
【００８８】
また、第２実施形態においても、ｐ側電極１１５およびリッジ部１１３ａを、半導体レーザ素子５０の共振器の延びる方向（図１１のＢ方向）に沿う共振器の幅方向（図１１のＣ方向）の中心線５００（図１１の１点鎖線）に対し、所定距離（約２０μｍ）を隔てて中心線５００と略平行に延びるように半導体レーザ素子部の上面に形成するとともに、ワイヤボンド部１１５ａを、リッジ部１１３が形成されていない領域の絶縁膜１１４（図５参照）の上面上に設けることによって、ワイヤボンド部１１５ａの直下にはリッジ部１１３ａおよびオーミック層１１６が配置されていないので、ワイヤボンド時に、ワイヤボンド部１１５ａに上方から加えられる衝撃荷重がリッジ部１１３ａおよびオーミック層１１６に対して直接的に加わらない。これにより、リッジ部１１３ａおよびオーミック層１１６をワイヤボンド時の衝撃荷重から保護することができる。
【００８９】
なお、第２実施形態のその他の効果は、上記第１実施形態と同様である。
【００９０】
（第３実施形態）
図１３は、本発明の第３実施形態による半導体レーザ装置の構造を示した断面図である。図１４は、図１３に示した第３実施形態による半導体レーザ装置の構造を示した斜視図である。図１５は、図１３に示した本発明の第３実施形態による半導体レーザ装置の構造を示した平面図である。図１３〜図１５を参照して、この第３実施形態では、上記第１実施形態と異なり、半導体レーザ素子５０が、共振器の中央部近傍における基台７０との間の距離が、共振器の光反射面１１０ｂ近傍および光出射面１１０ａ近傍における基台７０との間の距離よりも小さくなるように基台７０に固定されている場合について説明する。
【００９１】
第３実施形態による半導体レーザ装置１５０では、図１３および図１４に示すように、上記第１および第２実施形態と同様に、半導体レーザ素子５０が、半導体レーザ素子５０の反りの凸側（基板１００側）と、基台７０との間の距離が、共振器の延びる方向（Ｂ方向）に沿って変化するように、ＡｕＳｎなどの導電性接着層１６０（図１３参照）を介して、基台７０に固定されている。
【００９２】
また、第３実施形態では、図１３に示すように、半導体レーザ素子５０は、半導体レーザ素子５０の共振器の中央部近傍における基台７０との間の距離（導電性接着層１６０の厚み）Ｈ７が、共振器の光反射面１１０ｂ近傍および光出射面１１０ａ近傍における半導体レーザ素子５０と基台７０との間の距離（導電性接着層１６０の厚み）Ｈ８よりも小さくなるようにＡｕＳｎなどの導電性接着層１６０を形成することにより、基板１００側が基台７０に対して導電性接着層１６０を介して固定されている。
【００９３】
また、図１３に示すように、半導体レーザ素子５０の共振器の中央部近傍は、基台７０の上面７０ａと略平行に配置されている。すなわち、半導体レーザ素子５０は、共振器の中央部近傍において透過するレーザ光の方向が、基台７０の上面７０ａの延びる方向と略平行になるように配置されている。
【００９４】
また、第３実施形態では、図１４および図１５に示すように、半導体レーザ素子５０のｐ側電極１１５に設けられたワイヤボンド部１１５ａは、共振器の中央部近傍に対応するように設けられている。すなわち、ワイヤボンド部１１５ａは、半導体レーザ素子５０と基台７０との間の距離のうち、実質的に最も小さい距離を有する領域近傍（導電性接着層１６０の厚みが実質的にＨ７（図１３参照）である領域）に対応するｐ側電極１１５の部分に設けられている。
【００９５】
また、第３実施形態では、図１４および図１５に示すように、半導体レーザ素子５０のリッジ部１１３ａおよびｐ側電極１１５は、半導体レーザ素子５０の共振器の幅方向（Ｃ方向）の中心線５００（１点鎖線）（図１５参照）から所定距離（約２０μｍ）を隔てて中心線５００と略平行に延びるように半導体レーザ素子部１１０の上面側に形成されている。また、ワイヤボンド部１１５ａは、リッジ部１１３ａの直上にオーミック層１１６を介して形成されたｐ側電極１１５から半導体レーザ素子５０のＣ方向に突出するとともに、中心線５００（図１５参照）を横断してリッジ部１１３ｂが形成されていない領域の絶縁膜１１４の上面上に設けられている。
【００９６】
なお、第３実施形態による半導体レーザ装置１５０のその他の構造は、上記第１および第２実施形態と同様である。
【００９７】
図１６は、本発明の第３実施形態による半導体レーザ装置を備えた半導体レーザの製造プロセスを説明するための図である。次に、図２および図１３〜図１６を参照して、第３実施形態による半導体レーザ装置１５０を備えた半導体レーザの製造プロセスについて説明する。
【００９８】
まず、上記第１および第２実施形態と同様の製造プロセスにより、半導体レーザ素子５０を形成する。
【００９９】
次に、第３実施形態では、図１３に示すように、半導体レーザ素子５０の共振器の中央部近傍における基台７０との間の距離（導電性接着層１６０の厚み）Ｈ７が、共振器の光反射面１１０ｂ近傍および光出射面１１０ａ近傍における半導体レーザ素子５０と基台７０との間の距離（導電性接着層１６０の厚み）Ｈ８よりも小さくなるように半導体レーザ素子５０の反りの凸側（基板１００側）を基台７０に対してダイボンドする。このとき、同時に、基台７０をステム８０の台座部８２（図２参照）に固定する。
【０１００】
また、第３実施形態では、図１６に示すように、導電性接着層１６０の厚みが、共振器の長さ方向（Ｂ方向）に２通り（２段階）に変化させるようにして基台７０の上面７０ａに配置する。すなわち、半田からなる導電性接着層１６０を、共振器の中央部近傍から光反射面１１０ｂおよび光出射面１１０ａに向かって段階的に厚みを増すように、基台７０の上面７０ａに配置する。
【０１０１】
そして、図１６に示すように、上記第１および第２実施形態と同様のプロセスを用いて、半導体レーザ素子５０の反りの凸側（基板１００側）を基台７０にダイボンドする。このとき、半導体レーザ素子５０の共振器の中央部近傍をコレット１２０によりＰ方向に押圧した状態では、コレット１２０により押圧された領域（半導体レーザ素子５０の共振器の中央部近傍）の導電性接着層１６０は、溶融しながらコレット１２０により押圧されていない領域（光出射面１１０ａ側および光反射面１１０ｂ側）に移動するとともに、光出射面１１０ａ側および光反射面１１０ｂ側の半導体レーザ素子５０と基台７０との間の導電性接着層１６０も熱伝導により溶融する。この結果、図１３に示すように、導電性接着層１６０が半導体レーザ素子５０の反り形状に対応して厚みを変化させる。すなわち、第３実施形態においても、半導体レーザ素子５０の反りを矯正することなく半導体レーザ素子５０の反りに応じて導電性接着層１６０の厚みが変化することにより、基台７０に固定される。
【０１０２】
また、第３実施形態では、共振器の中央部近傍に配置され、基台７０（図１３参照）の上面７０ａと略平行なワイヤボンド部１１５ａ（図１５参照）の直上から、Ａｕワイヤ９０（図２参照）がワイヤボンド部１１５ａに対してワイヤボンドされる。
【０１０３】
なお、第３実施形態のその他の製造プロセスは、上記第１および第２実施形態の製造プロセスと同様であり、このようにして、第３実施形態による半導体レーザ装置１５０を備えた半導体レーザが製造される。
【０１０４】
第３実施形態では、上記のように、ワイヤボンド部１１５ａを、半導体レーザ素子５０の共振器の中央部近傍に設けることによって、半導体レーザ装置１５０の製造プロセスにおいて、基台７０（図１３参照）の上面７０ａと略平行なワイヤボンド部１１５ａ（図１５参照）の直上から、Ａｕワイヤ９０（図２参照）がワイヤボンド部１１５ａに対してワイヤボンドされるために、ｐ側電極１１５のワイヤボンドを確実に行うことができる。
【０１０５】
なお、第３実施形態のその他の効果は、上記第１および第２実施形態と同様である。
【０１０６】
（第４実施形態）
図１７および図１８は、それぞれ、本発明の第４実施形態による半導体レーザ装置の構造を示した平面図および断面図である。図３、図１７および図１８を参照して、この第４実施形態では、上記第１実施形態と異なり、共振器の延びる方向（Ｂ方向）に加えてレーザ素子の幅方向（共振器の延びる方向と直交する方向（Ｃ方向））にも反りを有する半導体レーザ素子９５を、基台７０に固定する場合について説明する。なお、図１８は、図１７に示した半導体レーザ装置１７０の３００−３００線に沿った断面図である。
【０１０７】
第４実施形態による半導体レーザ装置１７０を備えた半導体レーザでは、図１７および図１８に示すように、半導体レーザ素子９５が、ＡｕＳｎなどの導電性接着層６０（図１８参照）を介して、基台７０に固定されている。また、半導体レーザ素子９５は、約８００μｍの幅（Ｗ５）と、約９００μｍの長さ（Ｌ４）と、約１００μｍの厚み（ｔ１）とを有する。また、基台７０は、約９００μｍの幅（Ｗ４）と、約１０００μｍの長さ（Ｌ５）と、約２５０μｍの厚み（ｔ３）とを有する。なお、半導体レーザ素子９５の共振器の延びる方向（Ｂ方向）に沿った断面形状は、図３に示した半導体レーザ素子５０の断面形状と同様の断面形状を有している。
【０１０８】
ここで、第４実施形態では、図１８に示すように、半導体レーザ素子９５は、共振器の延びる方向（Ｂ方向）に加えて、共振器の幅方向（Ｃ方向）に沿っても反りを有する。したがって、半導体レーザ素子９５は、上面（第１主面）側が凹状であり、下面（第２主面）側が凸状になるような反りを有するので、半導体レーザ素子部１１０は、基板１００とは反対側の表面が共振器の幅方向（Ｃ方向）にも凹状に形成されている。これにより、半導体レーザ素子９５は、Ｂ方向およびＣ方向における反りの凸側（基板１００側）が基台７０に固定されている。なお、半導体レーザ素子９５のＣ方向の反りは、Ｂ方向の反りよりも小さい。したがって、半導体レーザ素子９５は、図３に示した形状のように、反りの大きいＢ方向の形状を優先して、反りの凸側（基板１００側）が基台７０に固定されるのが好ましい。
【０１０９】
また、第４実施形態では、図１８に示すように、半導体レーザ素子９５の共振器端面（光出射面１１０ａまたは光反射面１１０ｂ）に沿った方向（Ｃ方向）の中央部近傍における半導体レーザ素子９５と基台７０との間の距離（導電性接着層６０の厚み）Ｈ９は、半導体レーザ素子９５の共振器端面に沿った方向（Ｃ方向）の端部９５ａおよび９５ｂ近傍における半導体レーザ素子９５と基台７０との間の距離（導電性接着層６０の厚み）Ｈ１０よりも小さい。
【０１１０】
また、第４実施形態では、図１７に示すように、半導体レーザ素子９５のｐ側電極１１５に設けられたワイヤボンド部１１５ａは、光出射面１１０ａ近傍の絶縁膜１１４の上面上に設けられている。すなわち、ワイヤボンド部１１５ａは、半導体レーザ素子９５と基台７０との間の距離のうち、Ｂ方向およびＣ方向に実質的に最も小さい距離を有する領域近傍（導電性接着層６０の厚みが実質的にＨ３（図３参照）かつＨ９（図１８参照）である領域）に対応するｐ側電極１１５の部分に設けられている。
【０１１１】
また、第４実施形態では、図１７に示すように、半導体レーザ素子９５のリッジ部１１３ａおよびｐ側電極１１５は、半導体レーザ素子９５の共振器の幅方向（Ｃ方向）の中心線５００（１点鎖線）から所定距離（約２０μｍ）を隔てて中心線５００と略平行に延びるように形成されている。また、ワイヤボンド部１１５ａは、リッジ部１１３ａの直上にオーミック層１１６を介して形成されたｐ側電極１１５から半導体レーザ素子９５の幅方向（Ｃ方向）に突出するとともに、中心線５００を横断してリッジ部１１３ｂが形成されていない領域の絶縁膜１１４の上面上に設けられている。
【０１１２】
なお、第４実施形態による半導体レーザ装置１７０のその他の構造および製造プロセスは、上記第１実施形態と同様である。
【０１１３】
第４実施形態では、上記のように、半導体レーザ素子９５を、半導体レーザ素子９５の反りの凸側と基台７０との間の距離が、共振器の延びる方向（Ｂ方向）および共振器の幅方向（Ｃ方向）に沿って半導体レーザ素子９５の反りに応じて変化するように基台７０に固定することによって、半導体レーザ素子９５の反りにＢ方向のみならずＣ方向にもばらつきがあったとしても、半導体レーザ素子９５を、半導体レーザ素子９５自体の反りを矯正することなく基台７０に対して固定することができる。これにより、半導体レーザ素子９５に反りの矯正に起因する過度な応力が発生するのを抑制することができる。これにより、レーザ特性の劣化および半導体レーザ素子９５（半導体レーザ素子部１１０）の破損が発生するのを抑制することができる。
【０１１４】
また、第４実施形態では、半導体レーザ素子９５を、半導体レーザ素子９５のＣ方向の反りの凸側と基台７０との間の距離のうち、実質的に最も小さい距離を有する領域近傍（導電性接着層６０の厚みが実質的にＨ３（図３参照）かつＨ９（図１８参照）である領域）に対応するｐ側電極１１５の部分にワイヤボンド部１１５ａを設けることによって、半導体レーザ素子９５の基台７０の上面７０ａに対する傾きがＢ方向のみならずＣ方向にも最も小さい領域（Ｃ方向の中央部近傍）に設けられたワイヤボンド部１１５ａにワイヤボンドを行うことができるので、半導体レーザ素子９５の傾きが大きい領域に対応したｐ側電極１１５の部分にワイヤボンドを行う場合と異なり、半導体レーザ素子９５に対してワイヤボンド時に過度な応力が加わるのが抑制される。これにより、レーザ特性の劣化および半導体レーザ素子９５（半導体レーザ素子部１１０）の破損が発生するのを、より一層抑制することができる。
【０１１５】
なお、半導体レーザ素子９５は、Ｃ方向の反りよりもＢ方向（共振器方向）の反りが大きいので、ワイヤボンド部１１５ａは、反りの大きいＢ方向のうちの導電性接着層６０の厚みが最も小さい部分に対応するｐ側電極１１５の部分の近傍に設けられた場合であっても、上記効果が得られる。すなわち、半導体レーザ素子９５が互いに交差する第３方向（第４実施形態ではＢ方向）と第４方向（第４実施形態ではＣ方向）とに対して反りを有している場合であって、かつ、第３方向の反りが第４方向の反りよりも大きい場合に、第３方向に沿ったワイヤボンド部１１５ａを含む断面において、ワイヤボンド部１１５ａは、半導体レーザ素子９５と基台７０との距離が実質的に最も小さい領域に対応する領域に形成されていてもよい。
【０１１６】
また、第４実施形態では、リッジ部１１３ａとワイヤボンド部１１５ａとを、共振器の幅方向（Ｃ方向）における半導体レーザ素子９５の略中央部（中心線５００の近傍領域）を挟んで互いに反対の方向に形成することによって、リッジ部１１３ａが中心線５００からＣ方向の一方側にずらされた分だけワイヤボンド部１１５ａを中心線５００により近づけて配置することができる。これにより、半導体レーザ素子９５の基台７０の上面７０ａに対する傾きがＣ方向にも最も小さい領域に設けられたワイヤボンド部１１５ａにワイヤボンドを行うことができる。また、ワイヤボンド時に、ワイヤボンド部１１５ａに上方から加えられる衝撃荷重が、半導体レーザ素子９５の幅方向（Ｃ方向）に偏って加えられるのを抑制することができる。なお、第４実施形態のその他の効果は、上記第１実施形態と同様である。
【０１１７】
（第５実施形態）
図１９は、本発明の第５実施形態による半導体レーザ装置の構造を示した平面図である。図９、図１８および図１９を参照して、この第５実施形態における半導体レーザ装置１８０では、上記第４実施形態と異なり、半導体レーザ素子９５が、共振器の光反射面１１０ｂ近傍における基台７０との間の距離が、光出射面１１０ａ近傍における距離よりも小さくなるように基台７０に固定されている場合について説明する。
【０１１８】
ここで、第５実施形態による半導体レーザ装置１８０では、図９に示した半導体レーザ素子５０のＢ方向の断面形状と同様に、半導体レーザ素子９５は、共振器の光反射面１１０ｂ近傍における半導体レーザ素子９５と基台７０との間の距離（図９の距離Ｈ５に相当する）が、共振器の光出射面１１０ａ近傍における半導体レーザ素子９５と基台７０との間の距離（図９の距離Ｈ６に相当する）よりも小さくなるように形成された導電性接着層６０を介して基台７０に固定されている。なお、半導体レーザ素子９５は、上記第４実施形態と同様に、Ｃ方向の反りよりもＢ方向（共振器方向）の反りが大きい。したがって、半導体レーザ素子９５は、図９に示した形状のように、反りの大きいＢ方向の形状を優先して、反りの凸側（基板１００側）が基台７０に固定されるのが好ましい。
【０１１９】
また、第５実施形態では、図１８に示した半導体レーザ素子９５のＣ方向の断面形状と同様に、共振器端面（光出射面１１０ａまたは光反射面１１０ｂ）に沿った方向（Ｃ方向）の中央部近傍における半導体レーザ素子９５と基台７０との間の距離（図１８の距離Ｈ９に相当する）は、共振器端面に沿った方向（Ｃ方向）の端部９５ａおよび９５ｂ近傍における半導体レーザ素子９５と基台７０との間の距離（図１８の距離Ｈ１０に相当する）よりも小さい。なお、半導体レーザ素子９５は、Ｃ方向の反りよりもＢ方向の反りが大きいので、ワイヤボンド部１１５ａは、反りの大きいＢ方向のうちの導電性接着層６０の厚みが最も小さい部分に対応するｐ側電極１１５の部分の近傍に設けられるのが好ましい。
【０１２０】
また、第５実施形態では、図１９に示すように、半導体レーザ素子９５のｐ側電極１１５に設けられたワイヤボンド部１１５ａは、光反射面１１０ｂ近傍の絶縁膜１１４の上面上に設けられている。すなわち、ワイヤボンド部１１５ａは、半導体レーザ素子９５と基台７０との間の距離のうち、実質的に最も小さい距離を有する領域近傍（導電性接着層６０の厚みが実質的にＨ５（図９参照）かつＨ９（図１８参照）である領域）に対応するｐ側電極１１５の部分に設けられている。
【０１２１】
なお、第５実施形態による半導体レーザ装置１８０のその他の構造および製造プロセスは、上記第４実施形態と同様である。また、第５実施形態の効果は、上記第４実施形態と同様である。
【０１２２】
（第６実施形態）
図２０は、本発明の第６実施形態による半導体レーザ装置の構造を示した平面図である。図１３、図１８および図２０を参照して、この第６実施形態における半導体レーザ装置１９０では、上記第４実施形態と異なり、半導体レーザ素子９５が、共振器の中央部近傍における基台７０との間の距離が、共振器の光反射面１１０ｂ近傍および光出射面１１０ａ近傍における基台７０との間の距離よりも小さくなるように基台７０に固定されている場合について説明する。
【０１２３】
ここで、第６実施形態による半導体レーザ装置１９０では、図１３に示した半導体レーザ素子５０のＢ方向の断面形状と同様に、半導体レーザ素子９５は、共振器の中央部近傍における基台７０との間の距離（図１３の距離Ｈ７に相当する）が、共振器の光反射面１１０ｂ近傍および光出射面１１０ａ近傍における半導体レーザ素子９５と基台７０との間の距離（図１３の距離Ｈ８に相当する）よりも小さくなるように形成された導電性接着層６０を介して基台７０に固定されている。なお、半導体レーザ素子９５は、Ｃ方向の反りよりもＢ方向の反りが大きいので、図１３に示した形状のように、反りの大きいＢ方向の形状を優先して基台７０に固定されるのが好ましい。
【０１２４】
また、第６実施形態では、図１８に示した半導体レーザ素子９５のＣ方向の断面形状と同様に、共振器端面（光出射面１１０ａまたは光反射面１１０ｂ）に沿った方向（Ｃ方向）の中央部近傍における半導体レーザ素子９５と基台７０との間の距離（図１８の距離Ｈ９に相当する）は、共振器端面に沿った方向（Ｃ方向）の端部９５ａ近傍における半導体レーザ素子９５と基台７０との間の距離（図１８の距離Ｈ１０に相当する）よりも小さい。
【０１２５】
また、第６実施形態では、図２０に示すように、半導体レーザ素子９５のｐ側電極１１５に設けられたワイヤボンド部１１５ａは、共振器の中央部近傍に対応するように設けられている。すなわち、ワイヤボンド部１１５ａは、半導体レーザ素子９５と基台７０との間の距離のうち、実質的に最も小さい距離を有する領域近傍（導電性接着層６０の厚みが実質的にＨ７（図１３参照）かつＨ９（図１８参照）である領域）に対応するｐ側電極１１５の部分に設けられている。なお、半導体レーザ素子９５は、Ｃ方向の反りよりもＢ方向の反りが大きいので、ワイヤボンド部１１５ａは、反りの大きいＢ方向のうちの導電性接着層６０の厚みが最も小さい部分に対応するｐ側電極１１５の部分の近傍に設けられるのが好ましい。
【０１２６】
なお、第６実施形態による半導体レーザ装置１９０のその他の構造および製造プロセスは、上記第４実施形態と同様である。
【０１２７】
第６実施形態では、上記のように、ワイヤボンド部１１５ａを、半導体レーザ素子９５のＢ方向（共振器方向）のみならずＣ方向（幅方向）の中央部近傍に設けることによって、半導体レーザ装置１９０の製造プロセスにおいて、基台７０の上面７０ａと略平行なワイヤボンド部１１５ａの直上から、Ａｕワイヤ９０がワイヤボンド部１１５ａに対してワイヤボンドされるために、ｐ側電極１１５のワイヤボンドを確実に行うことができる。なお、第６実施形態の効果は、上記第４実施形態と同様である。
【０１２８】
（第７実施形態）
図２１〜図２３は、それぞれ、本発明の第７実施形態による半導体レーザ装置の構造を示した平面図および断面図である。図２１〜図２３を参照して、この第７実施形態では、上記第４実施形態と異なり、レーザ素子の幅方向（共振器の延びる方向と直交する方向（Ｃ方向））にのみ反りを有する半導体レーザ素子９５を、基台７０に固定する場合について説明する。なお、図２２は、図２１に示した半導体レーザ装置２００の共振器方向に沿った断面図であり、図２３は、図２１に示した半導体レーザ装置２００の３００−３００線に沿った断面図である。
【０１２９】
第７実施形態による半導体レーザ装置２００を備えた半導体レーザでは、図２２および図２３に示すように、半導体レーザ素子９５が、導電性接着層６０を介して基台７０に固定されている。
【０１３０】
ここで、第７実施形態では、半導体レーザ素子９５は、共振器の幅方向（Ｃ方向）に沿ってのみ反りを有する。すなわち、図２３に示すように、半導体レーザ素子９５は、半導体レーザ素子９５の共振器端面（光出射面１１０ａ）に沿った方向（Ｃ１方向）の端部９５ａ近傍における半導体レーザ素子９５と基台７０との間の距離（導電性接着層６０の厚み）Ｈ１２が、半導体レーザ素子９５のＣ２方向の端部９５ｂ近傍における半導体レーザ素子９５と基台７０との間の距離（導電性接着層６０の厚み）Ｈ１３よりも小さくなるように基台７０に固定されている。そして、ワイヤボンド部１１５ａは、Ｃ１方向における半導体レーザ素子９５と基台７０とが略平行に配置された領域に対応する半導体レーザ素子９５の端部９５ａの近傍に設けられている。なお、第７実施形態では、図２２に示すように、半導体レーザ素子９５は、共振器の延びる方向（Ｂ方向）には反りを有していない。したがって、Ｂ方向（図２２参照）に沿った半導体レーザ素子９５と基台７０との間の距離（導電性接着層６０の厚み）Ｈ１１は、略同じである。これにより、半導体レーザ素子９５は、反りを有するＣ方向の形状を考慮して基台７０に固定されている。
【０１３１】
また、第７実施形態では、図２１に示すように、半導体レーザ素子９５のｐ側電極１１５に設けられたワイヤボンド部１１５ａは、ｐ側電極１１５の延びる方向（Ｂ方向）に沿って所定の距離だけ延びるように形成されている。したがって、半導体レーザの製造プロセスにおけるＡｕワイヤ９０は、ワイヤボンド部１１５ａ上であればＢ方向のどの位置にワイヤボンドされてもよい。すなわち、Ａｕワイヤ９０は、ワイヤボンド部１１５ａの光出射面１１０ａ近傍、光反射面１１０ｂ近傍およびＢ方向の中央部近傍のいずれの位置にワイヤボンドされてもよい。なお、図２１では、Ａｕワイヤ９０をＢ方向の中央部近傍にワイヤボンドした例を示している。
【０１３２】
なお、第７実施形態による半導体レーザ装置２００のその他の構造および製造プロセスは、上記第４実施形態と同様である。
【０１３３】
第７実施形態では、上記のように、半導体レーザ素子９５が、反りを有するＣ方向に対する基台７０への固定状態を考慮して基台７０に固定されるので、半導体レーザ素子９５の基台７０の上面７０ａに対する傾きが最も小さい領域に設けられたワイヤボンド部１１５ａに容易にＡｕワイヤ９０のワイヤボンドを行うことができる。
【０１３４】
また、第７実施形態では、ワイヤボンド部１１５ａを、Ｃ１方向における半導体レーザ素子９５と基台７０とが略平行に配置された領域に対応する半導体レーザ素子９５の端部９５ａの近傍に設けることによって、半導体レーザ装置２００の製造プロセスにおいて、基台７０の上面７０ａと略平行なワイヤボンド部１１５ａの直上から、Ａｕワイヤ９０をワイヤボンド部１１５ａに対してワイヤボンドすることができるので、ｐ側電極１１５へのワイヤボンドを確実に行うことができる。
【０１３５】
また、第７実施形態では、ワイヤボンド部１１５ａを、ｐ側電極１１５の延びる方向（Ｂ方向）に沿って所定の距離だけ延びるように形成することによって、Ａｕワイヤ９０のＢ方向におけるワイヤボンドの位置の自由度を向上させることができる。また、ワイヤボンド部１１５ａのＢ方向の表面積をより大きく確保することができるので、ｐ側電極１１５を利用して半導体レーザ素子９５の放熱性を向上させることができる。
【０１３６】
（第８実施形態）
図２４および図２５は、それぞれ、本発明の第８実施形態による半導体レーザ装置の構造を示した平面図および断面図である。図２４および図２５を参照して、この第８実施形態では、上記第７実施形態と異なり、光出射面１１０ａ側からみてＣ２方向側にワイヤボンド部１１５ａが形成される場合について説明する。なお、図２５は、図２４に示した半導体レーザ装置２１０の３００−３００線に沿った断面図である。
【０１３７】
第８実施形態による半導体レーザ装置２１０を備えた半導体レーザでは、図２４および図２５に示すように、半導体レーザ素子９５が、導電性接着層６０（図２５参照）を介して、基台７０に固定されている。
【０１３８】
ここで、第８実施形態では、図２５に示すように、半導体レーザ素子９５は、半導体レーザ素子９５の共振器端面（光出射面１１０ａ）に沿った方向（Ｃ２方向）の端部９５ｂ近傍における半導体レーザ素子９５と基台７０との間の距離（導電性接着層６０の厚み）Ｈ１４が、半導体レーザ素子９５のＣ１方向の端部９５ａ近傍における半導体レーザ素子９５と基台７０との間の距離（導電性接着層６０の厚み）Ｈ１５よりも小さくなるように基台７０に固定されている。そして、ワイヤボンド部１１５ａは、Ｃ２方向における半導体レーザ素子９５と基台７０とが略平行に配置された領域に対応する半導体レーザ素子９５の端部９５ｂの近傍に設けられている。
【０１３９】
また、第８実施形態では、図２４に示すように、半導体レーザ素子９５のｐ側電極１１５に設けられたワイヤボンド部１１５ａは、ｐ側電極１１５の延びる方向（Ｂ方向）に沿って所定の距離だけ延びるように形成されている。したがって、半導体レーザの製造プロセスにおけるＡｕワイヤ９０は、ワイヤボンド部１１５ａ上であればＢ方向のどの位置にワイヤボンドされてもよい。すなわち、Ａｕワイヤ９０は、ワイヤボンド部１１５ａの光出射面１１０ａ近傍、光反射面１１０ｂ近傍およびＢ方向の中央部近傍のいずれの位置にワイヤボンドされてもよい。なお、図２４では、Ａｕワイヤ９０をＢ方向の中央部近傍にワイヤボンドした例を示している。
【０１４０】
なお、第８実施形態による半導体レーザ装置２１０のその他の構造および製造プロセスは、上記第７実施形態と同様である。
【０１４１】
第８実施形態では、上記のように、半導体レーザ素子９５が、反りを有するＣ方向に対する基台７０への固定状態を考慮して基台７０に固定されるので、半導体レーザ素子９５の基台７０の上面７０ａに対する傾きが最も小さい領域に設けられたワイヤボンド部１１５ａに容易にＡｕワイヤ９０のワイヤボンドを行うことができる。
【０１４２】
また、第８実施形態では、ワイヤボンド部１１５ａを、Ｃ２方向における半導体レーザ素子９５と基台７０とが略平行に配置された領域に対応する半導体レーザ素子９５の端部９５ｂの近傍に設けることによって、半導体レーザ装置２１０の製造プロセスにおいて、基台７０の上面７０ａと略平行なワイヤボンド部１１５ａの直上から、Ａｕワイヤ９０をワイヤボンド部１１５ａに対してワイヤボンドすることができるので、ｐ側電極１１５へのワイヤボンドを確実に行うことができる。なお、第８実施形態のその他の効果は、上記第７実施形態と同様である。
【０１４３】
（第９実施形態）
図２６は、本発明の第９実施形態による半導体レーザ装置の構造を示した平面図である。図１８、図２２および図２６を参照して、この第９実施形態では、上記第４実施形態と異なり、ｐ側電極１１５に設けられたワイヤボンド部１１５ａは、ｐ側電極１１５の延びる方向（Ｂ方向）に沿って所定の距離だけ延びるように形成される場合について説明する。
【０１４４】
第９実施形態による半導体レーザ装置２２０を備えた半導体レーザでは、図１８および図２６に示すように、半導体レーザ素子９５が、導電性接着層６０（図１８参照）を介して、基台７０に固定されている。
【０１４５】
ここで、第９実施形態では、図２６に示すように、半導体レーザ素子９５のｐ側電極１１５に設けられたワイヤボンド部１１５ａは、ｐ側電極１１５の延びる方向（Ｂ方向）に沿って所定の距離だけ延びるように形成されている。したがって、半導体レーザの製造プロセスにおけるＡｕワイヤ９０は、ワイヤボンド部１１５ａ上であればＢ方向のどの位置にワイヤボンドされてもよい。すなわち、Ａｕワイヤ９０は、ワイヤボンド部１１５ａの光出射面１１０ａ近傍、光反射面１１０ｂ近傍およびＢ方向の中央部近傍のいずれの位置にワイヤボンドされてもよい。
【０１４６】
また、第９実施形態では、図１８に示した半導体レーザ素子９５のＣ方向の断面形状と同様に、共振器端面に沿った方向（Ｃ方向）の中央部近傍における半導体レーザ素子９５と基台７０との間の距離（図１８の距離Ｈ９に相当する）は、共振器端面に沿った方向（Ｃ方向）の端部９５ａ近傍における半導体レーザ素子９５と基台７０との間の距離（図１８の距離Ｈ１０に相当する）よりも小さい。したがって、第９実施形態では、ワイヤボンド部１１５ａは、半導体レーザ素子９５と基台７０との間の距離のうち、実質的に最も小さい距離を有する領域近傍（導電性接着層６０の厚みが実質的にＨ９（図１８参照）である領域）に対応するｐ側電極１１５の部分に設けられている。なお、図２６では、Ａｕワイヤ９０をＢ方向の光反射面１１０ｂ近傍にワイヤボンドした例を示している。
【０１４７】
なお、第９実施形態による半導体レーザ装置２２０のその他の構造および製造プロセスは、上記第４実施形態と同様である。
【０１４８】
第９実施形態では、上記のように、ワイヤボンド部１１５ａを、半導体レーザ素子９５のＢ方向（共振器方向）のみならずＣ方向（幅方向）の中央部近傍に設けることによって、半導体レーザ装置２２０の製造プロセスにおいて、基台７０の上面７０ａとＢ方向およびＣ方向に略平行なワイヤボンド部１１５ａの直上から、Ａｕワイヤ９０がワイヤボンド部１１５ａに対してワイヤボンドされるために、ｐ側電極１１５のワイヤボンドを確実に行うことができる。なお、第９実施形態の効果は、上記第７実施形態と同様である。
【０１４９】
（第１０実施形態）
図２７および図２８は、それぞれ、本発明の第１０実施形態による半導体レーザ装置の構造を示した平面図および断面図である。図３、図２７および図２８を参照して、この第１０実施形態では、上記第１実施形態と異なり、共振器の延びる方向（Ｂ方向）およびレーザ素子の幅方向（Ｃ方向）に反りを有する１つの半導体レーザ素子が、素子の幅方向（Ｃ方向に）５つ繋げられてアレイ化された半導体レーザ素子１０５を、基台７０に固定する場合について説明する。なお、図２８は、図２７に示した半導体レーザ装置２３０の３００−３００線に沿った断面図である。
【０１５０】
第１０実施形態による半導体レーザ装置２３０を備えた半導体レーザでは、図２７および図２８に示すように、リッジ部１１３ａが形成された１つの半導体レーザ素子をＣ方向に５つ繋げることによりアレイ化された半導体レーザ素子１０５が、導電性接着層６０（図２８参照）を介して、基台７０に固定されている。すなわち、半導体レーザ素子１０５には、５本のリッジ部１１３ａがＣ方向に所定の間隔（約２００μｍ）を隔てて形成されている。また、半導体レーザ素子１０５は、約１０００μｍの幅（Ｗ６）と、約９００μｍの長さ（Ｌ４）と、約１００μｍの厚み（ｔ１）とを有する。また、基台７０は、約１２００μｍの幅（Ｗ７）と、約１０００μｍの長さ（Ｌ５）と、約２５０μｍの厚み（ｔ３）とを有する。なお、半導体レーザ素子１０５の共振器の延びる方向（Ｂ方向）に沿った断面形状は、図３に示した半導体レーザ素子５０の断面形状と同様の断面形状を有している。
【０１５１】
ここで、第１０実施形態では、図２８に示すように、アレイ化された半導体レーザ素子１０５は、共振器の延びる方向（図２７のＢ方向）に加えて、共振器の幅方向（Ｃ方向）に沿って反りを有する。したがって、半導体レーザ素子部１１０は、基板１００とは反対側の表面が共振器の幅方向（Ｃ方向）にも凹状に形成されており、半導体レーザ素子１０５は、Ｂ方向およびＣ方向における反りの凸側（基板１００側）が基台７０に固定されている。なお、半導体レーザ素子１０５は、Ｃ方向の反りよりもＢ方向の反りが大きいので、図３に示した形状のように、反りの大きいＢ方向の形状を優先して基台７０に固定されるのが好ましい。
【０１５２】
また、第１０実施形態では、図２８に示すように、共振器端面（光出射面１１０ａまたは光反射面１１０ｂ）に沿った方向（Ｃ方向）の中央部近傍における半導体レーザ素子１０５と基台７０との間の距離（導電性接着層６０の厚み）Ｈ１６は、半導体レーザ素子１０５の共振器端面に沿った方向（Ｃ方向）の端部１０５ａおよび１０５ｂ近傍における半導体レーザ素子１０５と基台７０との間の距離（導電性接着層６０の厚み）Ｈ１７よりも小さい。
【０１５３】
また、第１０実施形態では、図２７に示すように、半導体レーザ素子１０５のｐ側電極１１５に設けられたワイヤボンド部１１５ａは、光出射面１１０ａ近傍の絶縁膜１１４の上面上に設けられている。また、ワイヤボンド部１１５ａは、半導体レーザ素子１０５と基台７０との間の距離のうち、Ｂ方向およびＣ方向に実質的に最も小さい距離を有する領域近傍（導電性接着層６０の厚みが実質的にＨ３（図３参照）かつＨ１６（図２８参照）である領域）に対応するｐ側電極１１５の部分に設けられている。なお、半導体レーザ素子１０５は、Ｃ方向の反りよりもＢ方向の反りが大きいので、ワイヤボンド部１１５ａは、反りの大きいＢ方向のうちの導電性接着層６０の厚みが最も小さい部分に対応するｐ側電極１１５の部分の近傍に設けられるのが好ましい。
【０１５４】
また、第１０実施形態では、図２７に示すように、半導体レーザ素子１０５には、半導体レーザ素子１０５の複数（５本）のｐ側電極１１５をＣ方向に繋ぐための複数の接続部１１５ｂが形成されている。これにより、複数（５本）のｐ側電極１１５は、接続部１１５ｂを介して導通されている。また、複数の接続部１１５ｂは、ワイヤボンド部１１５ａが形成された共振器方向（Ｂ方向）の位置に対応するようにＣ方向に沿って形成されている。したがって、図２７に示すように、半導体レーザ装置２３０のＣ方向の中央部近傍に位置する１箇所のワイヤボンド部１１５ａにＡｕワイヤ９０をワイヤボンドすることによって、全ての半導体レーザ素子に電流が供給されることが可能に構成されている。
【０１５５】
なお、第１０実施形態による半導体レーザ装置２３０のその他の構造および製造プロセスは、上記第１実施形態と同様である。
【０１５６】
第１０実施形態では、上記のように、アレイ化された半導体レーザ素子１０５についても、半導体レーザ素子１０５の反りの凸側と基台７０との間の距離が、各共振器の延びる方向（Ｂ方向）および各共振器の幅方向（Ｃ方向）に沿って半導体レーザ素子１０５の反りに応じて変化するように基台７０に固定することによって、半導体レーザ素子１０５の反りにばらつきがあったとしても、半導体レーザ素子１０５を、半導体レーザ素子１０５自体の反りを矯正することなく基台７０に対して固定することができる。これにより、半導体レーザ素子１０５に反りの矯正に起因する過度な応力が発生するのを抑制することができる。これにより、レーザ特性の劣化および半導体レーザ素子１０５の破損が発生するのを抑制することができる。
【０１５７】
また、第１０実施形態では、半導体レーザ素子１０５に、ｐ側電極１１５をＣ方向に繋ぐための複数の接続部１１５ｂを形成することによって、複数（５本）のｐ側電極１１５を接続部１１５ｂを介して容易に導通させることができる。
【０１５８】
また、第１０実施形態では、複数の接続部１１５ｂを、ワイヤボンド部１１５ａが形成された共振器方向（Ｂ方向）の位置に対応する領域にＣ方向に延びるように形成することによって、ワイヤボンド部１１５ａと複数の接続部１１５ｂとがＣ方向に略直線状に配置されるので、半導体レーザ素子１０５を上面から観察することにより、半導体レーザ素子１０５のレーザ光の出射方向（光出射面１１０ａの位置）を容易に識別することができる。なお、第１０実施形態のその他の効果は、上記第１実施形態と同様である。
【０１５９】
（第１１実施形態）
図２９は、本発明の第１１実施形態による半導体レーザ装置の構造を示した平面図である。図９、図２８および図２９を参照して、この第１１実施形態における半導体レーザ装置２４０では、上記第１０実施形態と異なり、アレイ化された半導体レーザ素子１０５が、共振器の光反射面１１０ｂ近傍における基台７０との間の距離が、光出射面１１０ａ近傍における距離よりも小さくなるように基台７０に固定されている場合について説明する。
【０１６０】
ここで、第１１実施形態による半導体レーザ装置２４０では、図９に示した半導体レーザ素子５０のＢ方向の断面形状と同様に、半導体レーザ素子１０５は、共振器の光反射面１１０ｂ近傍における半導体レーザ素子１０５と基台７０との間の距離（図９の距離Ｈ５に相当する）が、共振器の光出射面１１０ａ近傍における半導体レーザ素子１０５と基台７０との間の距離（図９の距離Ｈ６に相当する）よりも小さくなるように形成された導電性接着層６０を介して基台７０に固定されている。なお、半導体レーザ素子１０５は、Ｃ方向の反りよりもＢ方向の反りが大きいので、図９に示した形状のように、反りの大きいＢ方向の形状を優先して基台７０に固定されるのが好ましい。
【０１６１】
また、第１１実施形態では、図２８に示した半導体レーザ素子１０５のＣ方向の断面形状と同様に、共振器端面（光出射面１１０ａまたは光反射面１１０ｂ）に沿った方向（Ｃ方向）の中央部近傍における半導体レーザ素子１０５と基台７０との間の距離（図２８の距離Ｈ１６に相当する）は、共振器端面に沿った方向（Ｃ方向）の端部１０５ａおよび１０５ｂ近傍における半導体レーザ素子１０５と基台７０との間の距離（図２８の距離Ｈ１７に相当する）よりも小さい。
【０１６２】
また、第１１実施形態では、図２９に示すように、半導体レーザ素子１０５のｐ側電極１１５に設けられたワイヤボンド部１１５ａは、光反射面１１０ｂ近傍の絶縁膜１１４の上面上に設けられている。すなわち、ワイヤボンド部１１５ａは、半導体レーザ素子１０５と基台７０との間の距離のうち、Ｂ方向およびＣ方向に実質的に最も小さい距離を有する領域近傍（導電性接着層６０の厚みが実質的にＨ５（図９参照）かつＨ１６（図２８参照）である領域）に対応するｐ側電極１１５の部分に設けられている。なお、半導体レーザ素子１０５は、Ｃ方向の反りよりもＢ方向の反りが大きいので、ワイヤボンド部１１５ａは、反りの大きいＢ方向のうちの導電性接着層６０の厚みが最も小さい部分に対応するｐ側電極１１５の部分の近傍に設けられるのが好ましい。
【０１６３】
なお、第１１実施形態による半導体レーザ装置２４０のその他の構造および製造プロセスは、上記第４実施形態と同様である。また、第１１実施形態の効果は、上記第１０実施形態と同様である。
【０１６４】
（第１２実施形態）
図３０は、本発明の第１２実施形態による半導体レーザ装置の構造を示した平面図である。図１３、図２８および図３０を参照して、この第１２実施形態における半導体レーザ装置２５０では、上記第１０実施形態と異なり、アレイ化された半導体レーザ素子１０５が、共振器の中央部近傍における基台７０との間の距離が、共振器の光反射面１１０ｂ近傍および光出射面１１０ａ近傍における基台７０との間の距離よりも小さくなるように基台７０に固定されている場合について説明する。
【０１６５】
ここで、第１２実施形態による半導体レーザ装置２５０では、図１３に示した半導体レーザ素子５０のＢ方向の断面形状と同様に、半導体レーザ素子１０５は、共振器の中央部近傍における基台７０との間の距離（図１３の距離Ｈ７に相当する）が、共振器の光反射面１１０ｂ近傍および光出射面１１０ａ近傍における半導体レーザ素子１０５と基台７０との間の距離（図１３の距離Ｈ８に相当する）よりも小さくなるように形成された導電性接着層６０を介して基台７０に固定されている。なお、半導体レーザ素子１０５は、Ｃ方向の反りよりもＢ方向の反りが大きいので、図１３に示した形状のように、反りの大きいＢ方向の形状を優先して基台７０に固定されるのが好ましい。
【０１６６】
また、第１２実施形態では、図２８に示した半導体レーザ素子１０５のＣ方向の断面形状と同様に、共振器端面（光出射面１１０ａまたは光反射面１１０ｂ）に沿った方向（Ｃ方向）の中央部近傍における半導体レーザ素子１０５と基台７０との間の距離（図２８の距離Ｈ１６に相当する）は、共振器端面に沿った方向（Ｃ方向）の端部１０５ａおよび１０５ｂ近傍における半導体レーザ素子１０５と基台７０との間の距離（図２８の距離Ｈ１７に相当する）よりも小さい。
【０１６７】
また、第１２実施形態では、図３０に示すように、半導体レーザ素子１０５のｐ側電極１１５に設けられたワイヤボンド部１１５ａは、共振器の中央部近傍に対応するように設けられている。すなわち、ワイヤボンド部１１５ａは、半導体レーザ素子１０５と基台７０との間の距離のうち、Ｂ方向およびＣ方向に実質的に最も小さい距離を有する領域近傍（導電性接着層６０の厚みが実質的にＨ７（図１３参照）かつＨ１６（図２８参照）である領域）に対応するｐ側電極１１５の部分に設けられている。なお、半導体レーザ素子１０５は、Ｃ方向の反りよりもＢ方向の反りが大きいので、ワイヤボンド部１１５ａは、反りの大きいＢ方向のうちの導電性接着層６０の厚みが最も小さい部分に対応するｐ側電極１１５の部分の近傍に設けられるのが好ましい。
【０１６８】
なお、第１２実施形態による半導体レーザ装置２５０のその他の構造および製造プロセスは、上記第４実施形態と同様である。また、第１２実施形態の効果は、上記第１０実施形態と同様である。
【０１６９】
（第１３実施形態）
図３１および図３２は、それぞれ、本発明の第１３実施形態による半導体レーザ装置の構造を示した平面図および断面図である。図１３、図３１および図３２を参照して、この第１３実施形態では、上記第１２実施形態と異なり、共振器の幅方向（Ｃ方向）に反りを有するアレイ化された半導体レーザ素子１０５の光出射面１１０ａ側からみてＣ１方向側の端部１０５ａの近傍に、ワイヤボンド部１１５ａが形成される場合について説明する。なお、図３２は、図３１に示した半導体レーザ装置２６０の３００−３００線に沿った断面図である。
【０１７０】
ここで、第１３実施形態による半導体レーザ装置２６０では、図１３に示した半導体レーザ素子５０のＢ方向の断面形状と同様に、半導体レーザ素子１０５は、共振器の中央部近傍における基台７０との間の距離（図１３の距離Ｈ７に相当する）が、共振器の光反射面１１０ｂ近傍および光出射面１１０ａ近傍における半導体レーザ素子１０５と基台７０との間の距離（図１３の距離Ｈ８に相当する）よりも小さくなるように形成された導電性接着層６０を介して基台７０に固定されている。なお、半導体レーザ素子１０５は、Ｃ方向の反りよりもＢ方向の反りが大きいので、図１３に示した形状のように、反りの大きいＢ方向の形状を優先して基台７０に固定されるのが好ましい。
【０１７１】
また、第１３実施形態では、図３２に示すように、半導体レーザ素子１０５は、半導体レーザ素子１０５の共振器端面（光出射面１１０ａ）に沿った方向（Ｃ１方向）の端部１０５ａ近傍における半導体レーザ素子１０５と基台７０との間の距離（導電性接着層６０の厚み）Ｈ１８が、半導体レーザ素子１０５のＣ２方向の端部１０５ｂ近傍における半導体レーザ素子１０５と基台７０との間の距離（導電性接着層６０の厚み）Ｈ１９よりも小さくなるように基台７０に固定されている。したがって、ワイヤボンド部１１５ａは、半導体レーザ素子１０５と基台７０との間の距離のうち、Ｃ方向に実質的に最も小さい距離を有する領域近傍（導電性接着層６０の厚みが実質的にＨ１８である領域）に対応するｐ側電極１１５の部分に設けられている。また、ワイヤボンド部１１５ａは、Ｃ１方向における半導体レーザ素子１０５と基台７０とが略平行に配置された領域に対応する半導体レーザ素子１０５の端部１０５ａの近傍に設けられている。
【０１７２】
なお、第１３実施形態による半導体レーザ装置２６０のその他の構造および製造プロセスは、上記第１２実施形態と同様である。
【０１７３】
第１３実施形態では、上記のように、ワイヤボンド部１１５ａを、Ｃ１方向における半導体レーザ素子１０５と基台７０とが略平行に配置された領域に対応する半導体レーザ素子１０５の端部１０５ａの近傍に設けることによって、半導体レーザ装置２６０の製造プロセスにおいて、基台７０の上面７０ａと略平行なワイヤボンド部１１５ａの直上から、Ａｕワイヤ９０をワイヤボンド部１１５ａに対してワイヤボンドすることができるので、ｐ側電極１１５へのワイヤボンドを確実に行うことができる。なお、第１３実施形態のその他の効果は、上記第１０実施形態と同様である。
【０１７４】
（第１４実施形態）
図３３および図３４は、それぞれ、本発明の第１４実施形態による半導体レーザ装置の構造を示した平面図および断面図である。図１３、図３３および図３４を参照して、この第１４実施形態では、上記第１３実施形態と異なり、共振器の幅方向（Ｃ方向）に反りを有するアレイ化された半導体レーザ素子１０５の光出射面１１０ａ側からみてＣ２方向側の端部１０５ｂの近傍に、ワイヤボンド部１１５ａが形成される場合について説明する。なお、図３４は、図３３に示した半導体レーザ装置２７０の３００−３００線に沿った断面図である。
【０１７５】
ここで、第１４実施形態による半導体レーザ装置２７０では、図１３に示した半導体レーザ素子５０のＢ方向の断面形状と同様に、半導体レーザ素子１０５は、共振器の中央部近傍における基台７０との間の距離（図１３の距離Ｈ７に相当する）が、共振器の光反射面１１０ｂ近傍および光出射面１１０ａ近傍における半導体レーザ素子１０５と基台７０との間の距離（図１３の距離Ｈ８に相当する）よりも小さくなるように形成された導電性接着層６０を介して基台７０に固定されている。
【０１７６】
また、第１４実施形態では、図３４に示すように、半導体レーザ素子１０５は、半導体レーザ素子１０５の共振器端面（光出射面１１０ａ）に沿った方向（Ｃ２方向）の端部１０５ｂ近傍における半導体レーザ素子１０５と基台７０との間の距離（導電性接着層６０の厚み）Ｈ２０が、半導体レーザ素子１０５のＣ１方向の端部１０５ａ近傍における半導体レーザ素子１０５と基台７０との間の距離（導電性接着層６０の厚み）Ｈ２１よりも小さくなるように基台７０に固定されている。したがって、ワイヤボンド部１１５ａは、半導体レーザ素子１０５と基台７０との間の距離のうち、Ｃ方向に実質的に最も小さい距離を有する領域近傍（導電性接着層６０の厚みが実質的にＨ２０である領域）に対応するｐ側電極１１５の部分に設けられている。また、ワイヤボンド部１１５ａは、Ｃ２方向における半導体レーザ素子１０５と基台７０とが略平行に配置された領域に対応する半導体レーザ素子１０５の端部１０５ｂの近傍に設けられている。
【０１７７】
なお、第１４実施形態による半導体レーザ装置２７０のその他の構造および製造プロセスは、上記第１３実施形態と同様である。
【０１７８】
第１４実施形態では、上記のように、ワイヤボンド部１１５ａを、Ｃ２方向における半導体レーザ素子１０５と基台７０とが略平行に配置された領域に対応する半導体レーザ素子１０５の端部１０５ｂの近傍に設けることによって、半導体レーザ装置２５０の製造プロセスにおいて、基台７０の上面７０ａと略平行なワイヤボンド部１１５ａの直上から、Ａｕワイヤ９０をワイヤボンド部１１５ａに対してワイヤボンドすることができるので、ｐ側電極１１５へのワイヤボンドを確実に行うことができる。なお、第１４実施形態のその他の効果は、上記第１０実施形態と同様である。
【０１７９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１８０】
たとえば、上記実施形態では、半導体レーザ素子部を、窒化物系半導体層により構成した例について示したが、本発明はこれに限らず、半導体レーザ素子部を、窒化物系半導体層以外の半導体層により構成してもよい。
【０１８１】
また、上記実施形態では、半導体レーザ素子を基台に固定する融着層を、半田からなる導電性接着層とした例について示したが、本発明はこれに限らず、半導体レーザ素子を基台に固定する融着層を、半田以外の材料からなる導電性接着層を使用してもよい。
【０１８２】
また、上記第１実施形態では、半導体レーザ素子の光出射面側を、基台の上面と略平行に配置した例について示したが、本発明はこれに限らず、半導体レーザ素子の光出射面側を、基台の上面と略平行に配置しなくてもよい。
【０１８３】
また、上記第２実施形態では、半導体レーザ素子の光反射面側を、基台の上面と略平行に配置した例について示したが、本発明はこれに限らず、半導体レーザ素子の光反射面側を、基台の上面と略平行に配置しなくてもよい。
【０１８４】
また、上記第３実施形態では、半導体レーザ素子の共振器の中央部近傍を、基台の上面と略平行に配置した例について示したが、本発明はこれに限らず、半導体レーザ素子の共振器の中央部近傍を、基台の上面と略平行に配置しなくてもよい。
【０１８５】
また、上記実施形態では、半導体レーザ素子を基台に固定する際に、コレットを用いて半導体レーザ素子を基台に押圧した例について示したが、本発明はこれに限らず、半導体レーザ素子を基台に固定する際に、コレット以外の部材を用いて半導体レーザ素子を基台に押圧してもよい。
【０１８６】
また、上記実施形態では、製造プロセスにおいて、導電性接着層の厚みを、共振器の長さ方向に３通り（３段階）および２通り（２段階）に変化させるようにして基台の上面に配置した例について示したが、本発明はこれに限らず、導電性接着層の厚みを、共振器の長さ方向に３通り（３段階）および２通り（２段階）以外に変化させるようにして基台の上面に配置してもよい。
【０１８７】
また、上記実施形態では、ワイヤボンド部１１５ａを、半導体レーザ素子の幅方向（Ｃ方向）の中央部近傍に対応するｐ側電極１１５の部分の近傍に設けた例について示したが、本発明はこれに限らず、半導体レーザ素子の幅方向（Ｃ方向）に反りを有する半導体レーザ素子が、半導体レーザ素子のＣ方向の端部と基台との距離が実質的に最も小さい距離を有するように基台に固定される場合には、ワイヤボンド部を、半導体レーザ素子のＣ方向の端部近傍に対応するｐ側電極の部分の近傍に設けるようにしてもよい。
【０１８８】
また、上記実施形態では、ワイヤボンド部１１５ａを、半導体レーザ素子と基台７０との距離が実質的に最も小さい距離を有する領域近傍に対応する位置に設けた例について示したが、本発明はこれに限らず、ワイヤボンド部１１５ａを、半導体レーザ素子と基台７０との距離が実質的に最も小さい距離を有する領域近傍に対応するｐ側電極１１５の位置の近傍（所定の範囲内の位置）に設けるようにしてもよい。
【０１８９】
また、上記第１〜第３実施形態では、半導体レーザ素子のｐ側電極１１５のワイヤボンド部１１５ａを、半導体レーザ素子と基台７０との距離が実質的に最も小さい距離となる領域近傍に対応する位置であり、かつ、ｐ側電極１１５から半導体レーザ素子の幅方向（Ｃ方向）に突出するようにｐ側電極１１５に設けた例について示したが、本発明はこれに限らず、図３５に示した第１変形例のように、半導体レーザ装置２８０のワイヤボンド部１１５ｃを、半導体レーザ素子５０のｐ側電極１１５の延びる方向（Ｂ方向）の全ての領域にわたって延びるように形成してもよい。なお、ワイヤボンド部１１５ｃを含めたｐ側電極１１５は、Ｃ方向に約１１０μｍの幅Ｗ８を有する。この場合、半導体レーザの製造プロセスにおけるワイヤボンドの際、共振器方向（Ｂ方向）に反りを有する半導体レーザ素子５０と基台７０との距離が実質的に最も小さい距離を有する領域近傍に対応する位置のワイヤボンド部１１５ｃの部分にＡｕワイヤ９０のワイヤボンドを行えばよい。なお、図３５では、Ａｕワイヤ９０をＢ方向の中央部近傍のワイヤボンド部１１５ｃの部分にワイヤボンドした例を示している。この第１変形例のように構成すれば、上記実施形態の効果に加えて、ワイヤボンド部１１５ｃを含むｐ側電極１１５の表面積を増加させることができるので、ｐ側電極１１５を利用して半導体レーザ素子の放熱性を向上させることができる。
【０１９０】
また、上記第１〜第３実施形態では、半導体レーザ素子のｐ側電極１１５のワイヤボンド部１１５ａを、実際にＡｕワイヤ９０をワイヤボンドする位置にのみｐ側電極１１５からＣ方向に突出するようにｐ側電極１１５に設けた例について示したが、本発明はこれに限らず、図３６に示した第２変形例のように、半導体レーザ装置２９０のワイヤボンド部１１５ａを、半導体レーザ素子５０のｐ側電極１１５の延びる方向（Ｂ方向）に所定の間隔を隔てて複数（３箇所）形成してもよい。なお、半導体レーザ素子の共振器方向の反りが図３に示した断面形状である場合、Ａｕワイヤ９０を図３６に示す位置Ｐにおけるワイヤボンド部１１５ａの部分にワイヤボンドを行えばよい。また、半導体レーザ素子の共振器方向の反りが図９に示した断面形状である場合、Ａｕワイヤ９０を図３６に示す位置Ｑにおけるワイヤボンド部１１５ａの部分にワイヤボンドを行えばよい。また、半導体レーザ素子の共振器方向の反りが図１３に示した断面形状である場合、Ａｕワイヤ９０を図３６に示す位置Ｒにおけるワイヤボンド部１１５ａの部分にワイヤボンドを行えばよい。第２変形例のように構成すれば、半導体レーザ装置２９０の設計条件に応じて、半導体レーザ素子５０の反りの凸側と基台７０との間の最も小さい距離を有する領域近傍のワイヤボンド部１１５ａにワイヤボンドを容易に行うことができる。
【０１９１】
また、上記第４〜第６実施形態では、Ｂ方向およびＣ方向に反りを有する半導体レーザ素子のｐ側電極１１５のワイヤボンド部１１５ａを、ｐ側電極１１５からＣ方向（Ｃ１方向またはＣ２方向）に幅Ｗ３だけ突出するようにｐ側電極１１５に設けた例について示したが、本発明はこれに限らず、図３７に示した第３変形例のように、半導体レーザ装置２９５のワイヤボンド部１１５ａを、半導体レーザ素子５０のＣ１方向およびＣ２方向にそれぞれ幅Ｗ９およびＷ１０だけ突出させて、半導体レーザ素子９５のＣ方向の端部９５ａおよび９５ｂの近傍に対応する位置まで延びるように形成してもよい。ここで、半導体レーザ素子の共振器方向（Ｂ方向）の反りが図９に示した断面形状である場合、Ａｕワイヤ９０を図３７に示す位置Ｓ１におけるワイヤボンド部１１５ａの部分にワイヤボンドを行うのが最も好ましい。なお、Ａｕワイヤ９０を図３７に示す位置Ｓ２または位置Ｓ３におけるワイヤボンド部１１５ａの部分にワイヤボンドを行ってもよい。また、半導体レーザ素子の共振器方向（Ｂ方向）の反りがそれぞれ図３および図１３に示した断面形状である場合、半導体レーザ装置２９５のワイヤボンド部１１５ａ（図３７参照）を、半導体レーザ素子の共振器方向（Ｂ方向）における半導体レーザ素子と基台との間の距離のうち、実質的に最も小さい距離を有する領域近傍（光出射面１１０ａまたは光反射面１１０ｂ近傍）に対応するｐ側電極１１５の部分からＣ方向に突出させるように形成するのが好ましい。第３変形例のように構成すれば、半導体レーザ装置２９５の設計条件に応じて、Ａｕワイヤ９０のＣ方向におけるワイヤボンドの位置の自由度を向上させることができる。
【０１９２】
また、上記第９実施形態では、ワイヤボンド部１１５ａを、光出射面１１０ａからみてｐ側電極１１５からＣ２方向側に突出するように形成した例について示したが、本発明はこれに限らず、ワイヤボンド部１１５ａを、光出射面１１０ａからみてｐ側電極１１５からＣ１方向側に突出するように形成してもよい。この場合、半導体レーザ素子９５のリッジ部１１３ａ（ｐ側電極１１５）は、中心線５００のＣ２方向側に形成される。
【０１９３】
また、上記実施形態では、図２に示すように、１本のＡｕワイヤ９０を用いて半導体レーザ素子５０のｐ側電極１１５（ワイヤボンド部１１５ａ）とステム８０側のリード端子８３とを接続した例について示したが、本発明はこれに限らず、複数本（たとえば３本など）のＡｕワイヤを用いてｐ側電極１１５とリード端子８３とを接続してもよい。この第２変形例のように構成すれば、ｐ側電極１１５に接続されるＡｕワイヤの本数が増加するので、上記実施形態および上記実施形態の第１変形例の効果に加えて、半導体レーザ素子の発熱を、複数のＡｕワイヤおよびリード端子を介して半導体レーザ装置の外部に効果的に放熱させることができる。
【図面の簡単な説明】
【０１９４】
【図１】本発明の半導体レーザ装置の概略的な構造を説明するための断面図である。
【図２】本発明の第１実施形態による半導体レーザ装置を備えた半導体レーザの構造を示した斜視図である。
【図３】図２に示した第１実施形態による半導体レーザ装置の構造を示した断面図である。
【図４】図２に示した第１実施形態による半導体レーザ装置の構造を示した平面図である。
【図５】図２に示した第１実施形態による半導体レーザ装置の半導体レーザ素子の構造を示した斜視図である。
【図６】図４の４００−４００線に沿った断面図である。
【図７】図４の３００−３００線に沿った断面図である。
【図８】本発明の第１実施形態による半導体レーザ装置を備えた半導体レーザの製造プロセスを説明するための図である。
【図９】本発明の第２実施形態による半導体レーザ装置の構造を示した断面図である。
【図１０】図９に示した第２実施形態による半導体レーザ装置の構造を示した斜視図である。
【図１１】図９に示した第２実施形態による半導体レーザ装置の構造を示した平面図である。
【図１２】本発明の第２実施形態による半導体レーザ装置を備えた半導体レーザの製造プロセスを説明するための図である。
【図１３】本発明の第３実施形態による半導体レーザ装置の構造を示した断面図である。
【図１４】図１３に示した第３実施形態による半導体レーザ装置の構造を示した斜視図である。
【図１５】図１３に示した第３実施形態による半導体レーザ装置の構造を示した平面図である。
【図１６】本発明の第３実施形態による半導体レーザ装置を備えた半導体レーザの製造プロセスを説明するための図である。
【図１７】本発明の第４実施形態による半導体レーザ装置の構造を示した平面図である。
【図１８】図１７に示した第４実施形態による半導体レーザ装置の構造を示した断面図である。
【図１９】本発明の第５実施形態による半導体レーザ装置の構造を示した平面図である。
【図２０】本発明の第６実施形態による半導体レーザ装置の構造を示した平面図である。
【図２１】本発明の第７実施形態による半導体レーザ装置の構造を示した平面図である。
【図２２】図２１に示した第７実施形態による半導体レーザ装置の構造を示した断面図である。
【図２３】図２１に示した第７実施形態による半導体レーザ装置の構造を示した断面図である。
【図２４】本発明の第８実施形態による半導体レーザ装置の構造を示した平面図である。
【図２５】図２４に示した第８実施形態による半導体レーザ装置の構造を示した断面図である。
【図２６】本発明の第９実施形態による半導体レーザ装置の構造を示した平面図である。
【図２７】本発明の第１０実施形態による半導体レーザ装置の構造を示した平面図である。
【図２８】図２７に示した第１０実施形態による半導体レーザ装置の構造を示した断面図である。
【図２９】本発明の第１１実施形態による半導体レーザ装置の構造を示した平面図である。
【図３０】本発明の第１２実施形態による半導体レーザ装置の構造を示した平面図である。
【図３１】本発明の第１３実施形態による半導体レーザ装置の構造を示した平面図である。
【図３２】図３１に示した第１３実施形態による半導体レーザ装置の構造を示した断面図である。
【図３３】本発明の第１４実施形態による半導体レーザ装置の構造を示した平面図である。
【図３４】図３３に示した第１４実施形態による半導体レーザ装置の構造を示した断面図である。
【図３５】本発明の実施形態による半導体レーザ装置の第１変形例を示した平面図である。
【図３６】本発明の実施形態による半導体レーザ装置の第２変形例を示した平面図である。
【図３７】本発明の実施形態による半導体レーザ装置の第３変形例を示した平面図である。
【符号の説明】
【０１９５】
１、４０、１３０、１５０、１７０、１８０、１９０、２００、２１０、２２０、２３０、２４０、２５０、２６０、２７０、２８０、２９０、２９５  半導体レーザ装置
１０、５０、９５、１０５  半導体レーザ素子
１０ａ、１１０ａ  光出射面（光出射端）
１０ｂ、１１０ｂ  光反射面（光反射端）
２０、６０、１４０、１６０  導電性接着層（融着層）
３０、７０  基台
９５ａ、９５ｂ、１０５ａ、１０５ｂ  端部
１００  基板
１１０  半導体レーザ素子部
１１１  ｎ型ＡｌＧａＮクラッド層（窒化物系半導体層）
１１２  活性層（窒化物系半導体層）
１１３  ｐ型ＡｌＧａＮクラッド層（窒化物系半導体層）
１１３ａ  リッジ部
１１５  ｐ側電極（電極層）
１１５ａ、１１５ｃ  ワイヤボンド部
【図１】
2008294424.tif 000004
【図２】
2008294424.tif 000005
【図３】
2008294424.tif 000006
【図４】
2008294424.tif 000007
【図５】
2008294424.tif 000008
【図６】
2008294424.tif 000009
【図７】
2008294424.tif 000010
【図８】
2008294424.tif 000011
【図９】
2008294424.tif 000012
【図１０】
2008294424.tif 000013
【図１１】
2008294424.tif 000014
【図１２】
2008294424.tif 000015
【図１３】
2008294424.tif 000016
【図１４】
2008294424.tif 000017
【図１５】
2008294424.tif 000018
【図１６】
2008294424.tif 000019
【図１７】
2008294424.tif 000020
【図１８】
2008294424.tif 000021
【図１９】
2008294424.tif 000022
【図２０】
2008294424.tif 000023
【図２１】
2008294424.tif 000024
【図２２】
2008294424.tif 000025
【図２３】
2008294424.tif 000026
【図２４】
2008294424.tif 000027
【図２５】
2008294424.tif 000028
【図２６】
2008294424.tif 000029
【図２７】
2008294424.tif 000030
【図２８】
2008294424.tif 000031
【図２９】
2008294424.tif 000032
【図３０】
2008294424.tif 000033
【図３１】
2008294424.tif 000034
【図３２】
2008294424.tif 000035
【図３３】
2008294424.tif 000036
【図３４】
2008294424.tif 000037
【図３５】
2008294424.tif 000038
【図３６】
2008294424.tif 000039
【図３７】
2008294424.tif 000040